(57)【要約】  ある実施の形態によると、無線デバイスによる、最大出力電力を決定する方法が提供される。方法は、無線デバイスが、第１セルにおいて第１信号を第１キャリアで送信するための第１時間リソースおよび第２セルにおいて第２信号を第２キャリアで送信するための第２時間リソースを取得することを含む。第１時間リソースおよび第２時間リソースに基づいて、最大出力電力が決定される。第１信号および第２信号は、決定された最大出力電力に基づいて送信される。【選択図】図１１
2019536350.tif 000002
【特許請求の範囲】
【請求項１】
無線デバイス（１１０）による、最大出力電力を決定する方法であって、
前記無線デバイスが、第１セルにおいて第１信号を第１キャリアで送信するための第１時間リソースを取得することと、
前記無線デバイスが、第２セルにおいて第２信号を第２キャリアで送信するための第２時間リソースを取得することと、
前記第１時間リソースおよび前記第２時間リソースに基づいて、前記最大出力電力を決定することと、
決定された前記最大出力電力に基づいて、前記第１セルにおいて前記第１信号を送信し、前記第２セルにおいて前記第２信号を送信することと、を含む方法。
【請求項２】
前記第１時間リソースが第１送信時間間隔（ＴＴＩ）または第１ミニスロットを含み、
前記第２時間リソースが第２ＴＴＩまたは第２ミニスロットを含む請求項１に記載の方法。
【請求項３】
前記第１時間リソースおよび前記第２時間リソースのうちの少なくともひとつに基づいて参照時間を決定することと、
前記参照時間に基づいて前記最大出力電力を決定することと、をさらに含む請求項１または２に記載の方法。
【請求項４】
前記参照時間は前記第１時間リソースおよび前記第２時間リソースのうちの少なくともひとつの長さの関数として決定される請求項３に記載の方法。
【請求項５】
前記参照時間は、
前記第１時間リソースの長さと前記第２時間リソースの長さとの最小公倍数、
前記第１時間リソースの前記長さおよび前記第２時間リソースの前記長さのうちの最も大きいもの、
前記第１時間リソースの前記長さまたは前記第２時間リソースの前記長さの部分、
前記第１時間リソースの前記長さまたは前記第２時間リソースの前記長さの半分、
前記第１時間リソースの前記長さまたは前記第２時間リソースの前記長さの最も大きいものの一部、
前記第１時間リソースの前記長さまたは前記第２時間リソースの前記長さの最も大きいものの半分、または
前記第１時間リソースおよび前記第２時間リソースのうちの少なくともひとつ用に設定された値を含む請求項４に記載の方法。
【請求項６】
前記最大出力電力を決定することは、最大出力電力パラメータを決定することを含み、前記参照時間は推定期間であり、前記最大出力電力パラメータは参照期間（Ｔ＿ｅｖａｌ）ごとに推定され、前記参照時間は前記第１時間リソースおよび／または前記第２時間リソースの長さに基づく請求項３から５のいずれか一項に記載の方法。
【請求項７】
前記最大出力電力パラメータは、設定された最大出力電力の下限であるＰＣＭＡＸ＿Ｌである請求項６に記載の方法。
【請求項８】
前記第１時間リソース、前記第２時間リソースおよび／または参照時間は、ひとつのスロット、ひとつのミニスロット、２ＯＳ、３ＯＳ、４ＯＳ、７ＯＳまたは１ｍｓのいずれかである請求項３から７のいずれか一項に記載の方法。
【請求項９】
前記第１時間リソースに基づいて第１参照時間を決定することと、
前記第２時間リソースに基づいて第２参照時間を決定することと、
前記第１参照時間と前記第２参照時間とに基づいて前記最大出力電力を決定することと、をさらに含む請求項１または２に記載の方法。
【請求項１０】
前記第１参照時間が前記第２参照時間とは異なるか、または前記第１参照時間が前記第２参照時間と同じである請求項９に記載の方法。
【請求項１１】
最大出力電力を決定する無線デバイス（１１０）であって、
インストラクションを保持するメモリ（２３０）と、
前記インストラクションを実行することによって前記無線デバイスに、
第１セルにおいて第１信号を第１キャリアで送信するための第１時間リソースを取得することと、
第２セルにおいて第２信号を第２キャリアで送信するための第２時間リソースを取得することと、
前記第１時間リソースおよび前記第２時間リソースに基づいて、前記最大出力電力を決定することと、
決定された前記最大出力電力に基づいて、前記第１セルに前記第１信号を送信し、前記第２セルに前記第２信号を送信することと、を行わせるよう構成されたプロセッサ（２２０）と、を備える無線デバイス。
【請求項１２】
前記第１時間リソースが第１送信時間間隔（ＴＴＩ）または第１ミニスロットを含み、
前記第２時間リソースが第２ＴＴＩまたは第２ミニスロットを含む請求項１１に記載の無線デバイス。
【請求項１３】
前記プロセッサは、前記インストラクションを実行することによって前記無線デバイスに、
前記第１時間リソースおよび前記第２時間リソースのうちの少なくともひとつに基づいて参照時間を決定することと、
前記参照時間に基づいて前記最大出力電力を決定することと、を行わせるよう構成される請求項１１または１２に記載の無線デバイス。
【請求項１４】
前記参照時間は前記第１時間リソースおよび前記第２時間リソースのうちの少なくともひとつの長さの関数として決定される請求項１３に記載の無線デバイス。
【請求項１５】
前記参照時間は
前記第１時間リソースの長さと前記第２時間リソースの長さとの最小公倍数、
前記第１時間リソースの前記長さおよび前記第２時間リソースの前記長さのうちの最も大きいもの、
前記第１時間リソースの前記長さまたは前記第２時間リソースの前記長さの部分、
前記第１時間リソースの前記長さまたは前記第２時間リソースの前記長さの半分、
前記第１時間リソースの前記長さまたは前記第２時間リソースの前記長さの最も大きいものの一部、
前記第１時間リソースの前記長さまたは前記第２時間リソースの前記長さの最も大きいものの半分、または
前記第１時間リソースおよび前記第２時間リソースのうちの少なくともひとつ用に設定された値を含む請求項１４に記載の無線デバイス。
【請求項１６】
前記最大出力電力を決定することは、最大出力電力パラメータＰＣＭＡＸ＿Ｌを決定することを含み、前記参照時間は推定期間であり、前記最大出力電力パラメータは参照期間（Ｔ＿ｅｖａｌ）ごとに推定され、前記参照時間は前記第１時間リソースおよび／または前記第２時間リソースの長さに基づく請求項１３に記載の無線デバイス。
【請求項１７】
前記最大出力電力パラメータは、設定された最大出力電力の下限であるＰＣＭＡＸ＿Ｌである請求項１６に記載の無線デバイス。
【請求項１８】
前記第１時間リソース、前記第２時間リソースおよび／または参照時間は、ひとつのスロット、ひとつのミニスロット、２ＯＳ、３ＯＳ、４ＯＳ、７ＯＳまたは１ｍｓのいずれかである請求項１３から１７のいずれか一項に記載の無線デバイス。
【請求項１９】
前記プロセッサは、前記インストラクションを実行することによって前記無線デバイスに、
前記第１時間リソースに基づいて第１参照時間を決定することと、
前記第２時間リソースに基づいて第２参照時間を決定することと、
前記第１参照時間と前記第２参照時間とに基づいて前記最大出力電力を決定することと、を行わせるよう構成される請求項１１または１２に記載の無線デバイス。
【請求項２０】
前記第１参照時間が前記第２参照時間とは異なるか、または前記第１参照時間が前記第２参照時間と同じである請求項１９に記載の無線デバイス。
【請求項２１】
ネットワークノード（１１５）による、最大出力電力を決定する方法であって、
無線デバイス（１１０）を、第１セルにおいて第１信号を第１キャリアで送信するための第１時間リソースで設定することと、
前記無線デバイスを、第２セルにおいて第２信号を第２キャリアで送信するための第２時間リソースで設定することと、
前記第１時間リソースと前記第２時間リソースとに基づいて最大出力電力を決定することと、
前記最大出力電力に基づいて、前記無線デバイスから、前記第１セル上での前記第１信号および前記第２セル上での前記第２信号のうちの少なくともひとつを受信することと、を含む方法。
【請求項２２】
前記最大送信電力に基づいて、
前記ネットワークノードが、少なくともひとつの無線測定を行うことと、
前記第１セルにおける前記第１信号および前記第２セルにおける前記第２信号のうちの少なくともひとつのアップリンクスケジューリングを適合させることと、
前記第１セルの前記アップリンクまたは前記ダウンリンクにおける前記無線デバイスの前記第１時間リソースを適合させることと、
前記第２セルの前記アップリンクまたは前記ダウンリンクにおける前記無線デバイスの前記第２時間リソースを適合させることと、
前記第１セルおよび前記第２セルのうちの少なくともひとつにおいて、前記無線デバイスの電力制御動作を行うことと、
前記最大出力電力の決定された値についての情報を、他のネットワークノードに送信することと、
前記第１時間リソースおよび前記第２時間リソースのうちの少なくともひとつに基づいて決定された参照時間についての情報を、他のネットワークノードに送信することと、のうちの少なくともひとつを行うことをさらに含む請求項２１に記載の方法。
【請求項２３】
前記第１時間リソースが第１送信時間間隔（ＴＴＩ）または第１ミニスロットを含み、
前記第２時間リソースが第２ＴＴＩまたは第２ミニスロットを含む請求項２１または２２に記載の方法。
【請求項２４】
前記第１時間リソースおよび前記第２時間リソースのうちの少なくともひとつに基づいて参照時間を決定することと、
前記参照時間に基づいて前記最大出力電力を決定することと、をさらに含む請求項２１から２３のいずれか一項に記載の方法。
【請求項２５】
前記参照時間は前記第１時間リソースおよび前記第２時間リソースのうちの少なくともひとつの長さの関数として決定される請求項２４に記載の方法。
【請求項２６】
前記参照時間は
前記第１時間リソースの長さと前記第２時間リソースの長さとの最小公倍数、
前記第１時間リソースの前記長さおよび前記第２時間リソースの前記長さのうちの最も大きいもの、
前記第１時間リソースの前記長さまたは前記第２時間リソースの前記長さの部分、
前記第１時間リソースの前記長さまたは前記第２時間リソースの前記長さの半分、
前記第１時間リソースの前記長さまたは前記第２時間リソースの前記長さの最も大きいものの一部、
前記第１時間リソースの前記長さまたは前記第２時間リソースの前記長さの最も大きいものの半分、または
前記第１時間リソースおよび前記第２時間リソースのうちの少なくともひとつ用に設定された値を含む請求項２４に記載の方法。
【請求項２７】
前記最大出力電力を決定することは、最大出力電力パラメータＰＣＭＡＸ＿Ｌを決定することを含み、前記参照時間は推定期間であり、前記最大出力電力パラメータは参照期間（Ｔ＿ｅｖａｌ）ごとに推定され、前記参照時間は前記第１時間リソースおよび／または前記第２時間リソースの長さに基づく請求項２５に記載の方法。
【請求項２８】
前記最大出力電力パラメータは、設定された最大出力電力の下限であるＰＣＭＡＸ＿Ｌである請求項２７に記載の方法。
【請求項２９】
前記第１時間リソース、前記第２時間リソースおよび／または参照時間は、ひとつのスロット、ひとつのミニスロット、２ＯＳ、３ＯＳ、４ＯＳ、７ＯＳまたは１ｍｓのいずれかである請求項２５から２８のいずれか一項に記載の方法。
【請求項３０】
前記第１時間リソースに基づいて第１参照時間を決定することと、
前記第２時間リソースに基づいて第２参照時間を決定することと、
前記第１参照時間と前記第２参照時間とに基づいて前記最大出力電力を決定することと、をさらに含む請求項２１から２３のいずれか一項に記載の方法。
【請求項３１】
前記第１参照時間が前記第２参照時間とは異なるか、または前記第１参照時間が前記第２参照時間と同じである請求項３０に記載の方法。
【請求項４９】
最大出力電力を決定するネットワークノード（１１５）であって、該ネットワークノードは、
インストラクションを保持するメモリ（５３０）と、
前記インストラクションを実行することによって前記ネットワークノードに、
無線デバイス（１１０）を、第１セルにおいて第１信号を第１キャリアで送信するための第１時間リソースで設定することと、
前記無線デバイスを、第２セルにおいて第２信号を第２キャリアで送信するための第２時間リソースで設定することと、
前記第１時間リソースと前記第２時間リソースとに基づいて最大出力電力を決定することと、
前記最大出力電力に基づいて、前記無線デバイスから、前記第１セル上での前記第１信号および前記第２セル上での前記第２信号のうちの少なくともひとつを受信することと、を行わせるよう構成されたプロセッサ（５２０）と、を備えるネットワークノード（１１５）。
【請求項５０】
前記プロセッサは、前記インストラクションを実行することによって、前記最大送信電力に基づいて、
少なくともひとつの無線測定を行うことと、
前記第１セルにおける前記第１信号および前記第２セルにおける前記第２信号のうちの少なくともひとつのアップリンクスケジューリングを適合させることと、
前記第１セルの前記アップリンクまたは前記ダウンリンクにおける前記無線デバイスの前記第１時間リソースを適合させることと、
前記第２セルの前記アップリンクまたは前記ダウンリンクにおける前記無線デバイスの前記第２時間リソースを適合させることと、
前記第１セルおよび前記第２セルのうちの少なくともひとつにおいて、前記無線デバイスの電力制御動作を行うことと、
前記最大出力電力の決定された値についての情報を、他のネットワークノードに送信することと、
前記第１時間リソースおよび前記第２時間リソースのうちの少なくともひとつに基づいて決定された参照時間についての情報を、他のネットワークノードに送信することと、のうちの少なくともひとつを行うよう構成される請求項４９に記載のネットワークノード。
【請求項５１】
前記第１時間リソースが第１送信時間間隔（ＴＴＩ）または第１ミニスロットを含み、
前記第２時間リソースが第２ＴＴＩまたは第２ミニスロットを含む請求項４９または５０に記載のネットワークノード。
【請求項５２】
前記プロセッサは、前記インストラクションを実行することによって、
前記第１時間リソースおよび前記第２時間リソースのうちの少なくともひとつに基づいて参照時間を決定することと、
前記参照時間に基づいて前記最大出力電力を決定することと、を行うよう構成される請求項４９から５１のいずれか一項に記載のネットワークノード。
【請求項５３】
前記参照時間は前記第１時間リソースおよび前記第２時間リソースのうちの少なくともひとつの長さの関数として決定される請求項５２に記載のネットワークノード。
【請求項５４】
前記参照時間は、
前記第１時間リソースの長さと前記第２時間リソースの長さとの最小公倍数、
前記第１時間リソースの前記長さおよび前記第２時間リソースの前記長さのうちの最も大きいもの、
前記第１時間リソースの前記長さまたは前記第２時間リソースの前記長さの部分、
前記第１時間リソースの前記長さまたは前記第２時間リソースの前記長さの半分、
前記第１時間リソースの前記長さまたは前記第２時間リソースの前記長さの最も大きいものの一部、
前記第１時間リソースの前記長さまたは前記第２時間リソースの前記長さの最も大きいものの半分、または
前記第１時間リソースおよび前記第２時間リソースのうちの少なくともひとつ用に設定された値を含む請求項５２に記載のネットワークノード。
【請求項５５】
前記最大出力電力を決定することは、最大出力電力パラメータＰＣＭＡＸ＿Ｌを決定することを含み、前記参照時間は推定期間であり、前記最大出力電力パラメータは参照期間（Ｔ＿ｅｖａｌ）ごとに推定され、前記参照時間は前記第１時間リソースおよび／または前記第２時間リソースの長さに基づく請求項５２に記載のネットワークノード。
【請求項５６】
前記最大出力電力パラメータは、設定された最大出力電力の下限であるＰＣＭＡＸ＿Ｌである請求項５５に記載のネットワークノード。
【請求項５７】
前記第１時間リソース、前記第２時間リソースおよび／または参照時間は、ひとつのスロット、ひとつのミニスロット、２ＯＳ、３ＯＳ、４ＯＳ、７ＯＳまたは１ｍｓのいずれかである請求項５２から５６のいずれか一項に記載のネットワークノード。
【請求項５８】
前記プロセッサは、前記インストラクションを実行することによって、
前記第１時間リソースに基づいて第１参照時間を決定することと、
前記第２時間リソースに基づいて第２参照時間を決定することと、
前記第１参照時間と前記第２参照時間とに基づいて前記最大出力電力を決定することと、を行うよう構成される請求項４９から５１のいずれか一項に記載のネットワークノード。
【請求項５９】
前記第１参照時間が前記第２参照時間とは異なるか、または前記第１参照時間が前記第２参照時間と同じである請求項５８に記載のネットワークノード。
【発明の詳細な説明】
【技術分野】
【０００１】
本開示は一般に、無線通信に関し、より詳細には、キャリアアグリゲーションのための異なる送信時間インデクス（ＴＴＩ）パターンを伴う設定出力電力を導出するためのシステムおよび方法に関する。
【背景技術】
【０００２】
ＬＴＥはダウンリンクにおいてＯＦＤＭを、アップリンクにおいてＤＦＴ拡散ＯＦＤＭを、それぞれ用いる。時間ドメインではＬＴＥダウンリンク送信は１０ｍｓの無線フレームに編成され、各無線フレームは長さＴｓｕｂｆｒａｍｅ＝１ｍｓの１０個の等しいサイズのサブフレームからなる。ＬＴＥ時間ドメイン構造の例を図１に示す。
【０００３】
ＬＴＥにおけるリソース割り当ては、典型的にはリソースブロック（ＲＢ）で記述される。リソースブロックは時間ドメインにおいてひとつのスロット（０．５ｍｓ）に対応し、周波数ドメインにおいて１２個の連続的なサブキャリアに対応する。時間方向における２つの隣接するリソースブロックのペア（１．０ｍｓ）は、リソースブロックペアとして知られ得る。これをＴＴＩ（Ｔｒａｎｓｍｉｓｓｉｏｎ  Ｔｉｍｅ  Ｉｎｄｅｘ）とも呼ぶ。
【０００４】
ダウンリンク送信は、動的にスケジュールされる。例えば、各サブフレームにおいて、基地局は、どの端末にデータを伝送するかについての、および、そのデータがどのリソースブロックで伝送されるかについての制御情報を現在のダウンリンクサブフレームにおいて伝送する。この制御シグナリングは典型的には各サブフレームの第１の１つ、２つ、３つまたは４つのＯＦＤＭシンボルで送信され、その数ｎ＝１、２、３または４は制御領域の第１のシンボルで送信される物理ＣＦＩチャネル（ＰＣＦＩＣＨ）によって示される制御フォーマットインジケータ（ＣＦＩ）として知られている。制御領域はまた、物理ダウンリンク制御チャネル（ＰＤＣＣＨ）と、場合によっては、アップリンク送信のためのＡＣＫ／ＮＡＣＫを運ぶ物理ＨＡＲＱ指示チャネル（ＰＨＩＣＨ）とを含む。
【０００５】
ダウンリンクサブフレームはまた、受信機に知られ、例えば制御情報のコヒーレント復調のために使用される共通参照シンボル（ＣＲＳ）を含む。制御としてＣＦＩ＝３のＯＦＤＭシンボルを伴うダウンリンクシステムが図２に示されている。Ｒｅｌ−８のＴＴＩでは、ＤＬ送信のそのような部分の１つは１つのＴＴＩと呼ばれる。
【０００６】
アップリンク電力制御は、最新の通信システムで採用されてきた無線リソース管理において重要な役割を果たす。それは、システムの他のユーザへの干渉を最小にしつつ端末のバッテリ寿命を最大にする必要性と、リンク品質を維持する必要性と、をバランスさせる。
【０００７】
ＬＴＥでは、電力制御の目的はＳＣ−ＦＤＭＡシンボルにわたる平均電力を決定することであり、それは、共通チャネルおよび専用チャネル（ＰＵＣＣＨ／ＰＵＳＣＨ／ＳＲＳ）の両方に適用される。以下に開示される式１に定式化されるように、開ループ電力制御と閉ループ電力制御の組み合わせが採用された：
＊開ループ電力制御：無線デバイス（ＵＥ）は、経路損失推定値および、セル内のすべてのＵＥに共通の公称電力レベルとＵＥ特定オフセットとを備えるｅＮｏｄｅＢ制御半静的ベースレベル（Ｐ０）、に基づいて、基本開ループセットポイントを算出する；
＊閉ループ電力制御：ｅＮｏｄｅＢはセットポイントに対する動的調整を更新し、無線デバイス（ＵＥ）は、ＴＰＣコマンドに応じて送信電力を調整する。また、電力制御を、アップリンク送信に使用される変調および符号化スキームにつなげることも可能である。
2019536350.tif 000003
【０００８】
アップリンク電力制御は、ＰＵＳＣＨおよびＰＵＣＣＨの両方で使用される。この目的は、モバイル端末が十分に大きいが大きすぎない電力で送信することを保証することであり、大きすぎる電力はネットワーク内の他のユーザへの干渉を増大させうるからである。両方の場合において、閉ループメカニズムと組み合わされたパラメータ化された開ループが使用される。概して、開ループ部分は、閉ループコンポーネントがその辺りで動作する動作点を設定するために使用される。ユーザプレーンおよび制御プレーンのための異なるパラメータ（ターゲットおよび「部分補償係数」）が使用される。
【０００９】
より詳細にはＰＵＳＣＨの場合、モバイル端末は以下の式に従って出力電力を設定する：
2019536350.tif 000004
ここで、ＰＭＡＸｃはモバイル端末の最大送信電力であり、ＭＰＵＳＣＨｃ（ｉ）は割り当てられたリソースブロックの数であり、ＰＯ＿ＰＵＳＣＨｃ（ｊ）およびαｃは目標受信電力を制御し、ＰＬｃは推定経路損失であり、ΔＴＦｃ（ｉ）はトランスポートフォーマット補償子であり、ｆｃ（ｉ）はＵＥ特有のオフセットまたは「閉ループ補正」である（関数ｆｃは、絶対オフセットまたは累積オフセットのいずれかを表すことができる）。インデクスｃは、コンポーネントキャリアに番号を付け、キャリアアグリゲーションにのみ関連する。
【００１０】
閉ループ電力制御は、累積または絶対の２つの異なるモードで動作することができる。両方のモードは、ダウンリンク制御シグナリングの一部であるコマンド、ＴＰＣに基づく。絶対電力制御が使用される場合、閉ループ補正機能は、新しい電力制御コマンドが受信されるたびにリセットされる。累積電力制御が使用される場合、電力制御コマンドは、前に累積された閉ループ補正に関するデルタ補正である。累積電力制御コマンドは
ｆｃ（ｉ）＝ｆｃ（ｉ−１）＋δＰＵＳＣＨｃ（ｉ−ＫＰＵＳＣＨ）
として定義され、ここでδＰＵＳＣＨｃは現在のサブフレームｉの前のＫＰＵＳＣＨサブフレームで受信されたＴＰＣコマンドであり、ｆｃ（ｉ−１）は累積電力制御値である。絶対電力制御はメモリを有さない、すなわち、ｆｃ（ｉ）＝δＰＵＳＣＨｃ（ｉ−ＫＰＵＳＣＨ）。
【００１１】
ＰＵＣＣＨ電力制御は原則として、ＰＵＣＣＨが完全な経路損失補償のみを有する、すなわち、α＝１の場合のみをカバーすることを除いて、同じ設定可能なパラメータを有する。
【００１２】
典型的には、設定された送信電力ＰＣＭＡＸは、以下に記載されるように、３ＧＰＰ  ＴＳ  ３６．１０１のセクション６．２．５において定義される：
６．２．５  設定された送信電力
ＵＥはサービングセルｃ用の、自身の設定された最大出力電力ＰＣＭＡＸ，ｃを設定することを許可される。設定された最大出力電力ＰｃＭＡＸ，ｃは以下の範囲内に設定される：
2019536350.tif 000005
と
2019536350.tif 000006
ここで、
−  ＰＥＭＡＸ，ｃは、３ＧＰＰ  ＴＳ  ３６．３３１において定義される、サービングセルｃ用のＩＥ  Ｐ−Ｍａｘによって与えられる値である；
−  ＰＰｏｗｅｒＣｌａｓｓは表６．２．２−１に規定された許容誤差を考慮しないときの、表６．２．２−１に規定された最大ＵＥ電力である；
−  サービングセルｃ用のＭＰＲｃおよびＡ−ＭＰＲｃは、それぞれ、サブクローズ６．２．３およびサブクローズ６．２．４で規定される；
−  ΔＴＩＢ，ｃは、表６．２．５−２に規定されているようなサービングセルｃに対する追加の許容度である；そうでなければ、ΔＴＩＢ，ｃ＝０ｄＢである；
−  表６．２．２−１の注２が適用される場合、ΔＴＣ，ｃ＝１．５ｄＢ；
−  表６．２．２−１の注２が適用されない場合、ΔＴＣ，ｃ＝０ｄＢ。
Ｐ−ＭＰＲｃは、以下について許容される最大出力電力低減である
ａ）  ３ＧＰＰ  ＲＡＮ規格の範囲外のシナリオについて、適用可能な電磁エネルギ吸収要件の遵守を確実にし、複数のＲＡＴ上での同時送信の場合の望ましくない放射／自己防御要件に対処すること；
ｂ）  より低い最大出力電力を要求するような要件に対処するために近接検出が用いられる場合に、適用可能な電磁エネルギ吸収要件の遵守を確実にすること。
ＵＥは上記の場合にのみ、サービングセルｃにＰ−ＭＰＲｃを適用する。ＵＥが実施する適合性試験では、Ｐ−ＭＰＲは０ｄＢとする
注釈１：Ｐ−ＭＰＲｃは、ＵＥが利用可能な最大出力送信電力をｅＮＢに報告することができるように、ＰＣＭＡＸ，ｃ方程式に導入された。この情報は、スケジューリング決定のためにｅＮＢによって使用可能である。
注釈２：Ｐ−ＭＰＲｃは、選択されたＵＬ伝送パスの最大アップリンク性能に影響を及ぼし得る。
各サブフレームについて、サービングセルｃのＰＣＭＡＸ＿Ｌ，ｃはスロット毎に評価され、そのスロット内の伝送のなかでの最小の値によって与えられ、次いで、２つのスロットのなかでの最小のＰＣＭＡＸ＿Ｌ，ｃはサブフレーム全体に適用される。ＰＰｏｗｅｒＣｌａｓｓは、いかなる期間においても、ＵＥによって超過されてはならない。
測定された設定最大出力電力ＰＵＭＡＸ，ｃは、以下の範囲内にあるものとする：
ＰＣＭＡＸ＿Ｌ，ｃ−ＭＡＸ｛ＴＬ，Ｔ（ＰＣＭＡＸ＿Ｌ，ｃ）｝≦ＰＵＭＡＸ，ｃ≦ＰＣＭＡＸ＿Ｈ，ｃ＋Ｔ（ＰＣＭＡＸ＿Ｈ，ｃ）
ここで、Ｔ（ＰＣＭＡＸ，ｃ）は以下の公差の表によって定義され、ＰＣＭＡＸ＿Ｌ，ｃおよびＰＣＭＡＸ＿Ｈ，ｃに別々に適用され、一方、ＴＬは適用可能動作帯域についての表６．２．２−１におけるより低い公差の絶対値である。
2019536350.tif 000007
【００１３】
１つのＥ−ＵＴＲＡ帯域に割り当てられたアップリンクを伴う帯域間キャリアアグリゲーション構成をサポートするＵＥについて、ΔＴＩＢ，ｃは、表６．２．５−２において適用可能な帯域について定義される。
【００１４】
パケットデータレイテンシは、ベンダ、オペレータ、およびエンドユーザが（速度テストアプリケーションを介して）定期的に測定するパフォーマンスメトリックの１つである。レイテンシ測定は無線アクセスネットワークシステムのライフタイムのすべてのフェーズにおいて行われ、これは、新しいソフトウエアリリースまたはシステムコンポーネントを検証するときや、システムを配備するときや、システムが商業的に動作しているときに行われる。
【００１５】
３ＧＰＰ  ＲＡＴの以前の世代よりも短いレイテンシは、ロングタームエボリューション（ＬＴＥ）の設計を導いた１つのパフォーマンスメトリックであった。ＬＴＥはまた、現在、エンドユーザによって、以前の世代の移動無線技術よりも、インターネットへのより速いアクセスおよびより短いデータレイテンシを提供するシステムであると認識されている。
【００１６】
パケットデータレイテンシは、システムの認識される応答性にとって重要であるだけでなく、システムのスループットに間接的に影響を及ぼすパラメータでもある。ＨＴＴＰ／ＴＣＰは、今日インターネット上で使用されている主要なアプリケーションおよびトランスポートレイヤプロトコルスイートである。ＨＴＴＰアーカイブ（ｈｔｔｐ：／／ｈｔｔｐａｒｃｈｉｖｅ．ｏｒｇ／ｔｒｅｎｄｓ．ｐｈｐ）によると、インターネットを介したＨＴＴＰベースのトランザクションの典型的なサイズは、数十キロバイトから１メガバイトまでの範囲内にある。このサイズ範囲では、ＴＣＰスロースタート期間はパケットストリームの全トランスポート期間のかなりの部分である。ＴＣＰスロースタートの間、パフォーマンスはレイテンシ制限される。したがって、このタイプのＴＣＰベースのデータトランザクションについて、平均スループットを改善するための改善されたレイテンシをかなり容易に示すことができる。
【００１７】
無線リソース効率は、レイテンシの低減によって良い影響を受ける可能性がある。より低いパケットデータレイテンシは、特定の遅延範囲内で可能な送信の数を増加させることができ、したがって、データ伝送についてより高いブロック誤り率（ＢＬＥＲ）ターゲットを用いることで、無線リソースを解放してシステムの容量を潜在的に改善することができる。
【００１８】
パケットレイテンシの低下に関して対処すべき１つの領域は、送信時間間隔（ＴＴＩ）の長さに対処することによる、データおよび制御シグナリングのトランスポート時間の低下である。ＬＴＥリリース８では、ＴＴＩは、長さ１ミリ秒の１つのサブフレーム（ＳＦ）に対応する。１つのそのような１ｍｓ  ＴＴＩは、通常のサイクリックプレフィックスの場合には１４個のＯＦＤＭまたはＳＣ−ＦＤＭＡシンボルを使用し、拡張サイクリックプレフィックスの場合には１２個のＯＦＤＭまたはＳＣ−ＦＤＭＡシンボルを使用することによって構築される。ＬＴＥリリース１３では、ＬＴＥリリース８のＴＴＩよりもはるかにより短いＴＴＩを伴う送信を指定することを目的とする研究項目が、２０１５年中に開始されている。より短いＴＴＩは、任意の持続時間を有すると決定可能であり、１ｍｓのＳＦ内のいくつかのＯＦＤＭまたはＳＣ−ＦＤＭＡシンボル上のリソースを備えることができる。一例として、短いＴＴＩの持続時間は０．５ｍｓ、すなわち、通常のサイクリックプレフィックスを伴う場合の７個のＯＦＤＭシンボルまたはＳＣ−ＦＤＭＡシンボルであってもよい。別の例として、短いＴＴＩの持続時間は、２シンボルであってもよい。
【００１９】
図２に示すように、ＴＴＩ長は１４個のＯＦＤＭシンボルからなる。短縮ＴＴＩの場合、ＴＴＩ長を、２−ＯＦＤＭシンボル、４−ＯＦＤＭシンボル、または７−ＯＦＤＭシンボルに低減することができる。これらは以下のように表される：それぞれ、２−ＯＳ  ｓＴＴＩ、４−ＯＳ  ｓＴＴＩ、７−ＯＳ  ｓＴＴＩ。
【００２０】
短縮ＴＴＩは、ＤＬおよびＵＬなど、異なる方向で異なる値で使用することができる。例えば、同じセル内で、ＤＬは２−ＯＳ  ｓＴＴＩを使用することができ、一方、ＵＬは４−ＯＳ  ｓＴＴＩを使用することができる。
【００２１】
ＦＳ１、ＦＳ２、およびＦＳ３などの異なるフレーム構造では、使用されるｓＴＴＩも異なる可能性がある。図１の時間ドメイン構造はＦＳ１に関する。２−ＯＳ、４ＯＳおよび７  ＯＳ  ＴＴＩはＦＳ１について利用可能である。ＴＤＤに使用されるＦＳ２の場合、７−ＯＳ  ｓＴＴＩは短縮ＴＴＩモードの１つである。図３は、Ｒ１−１６１１０５５における合意にしたがう、ＵＬについてサポートされる例示的な７シンボルｓＴＴＩ構造を示す。４シンボルＵＬ  ｓＴＴＩがサポートされる場合、Ｒ１−１６１１０５５の合意によると図４に示されるｓＴＴＩ構造が採用された。
【００２２】
現在の規格では、最小ＵＥ送信最大電力ＰＣＭＡＸ＿Ｌ，ｃはサブフレーム毎にＵＥによってスロット毎に評価される。これは、最小リソース単位が１ＲＢであり、１ｍｓのＴＴＩ値に対応するので、理解できるものである。短縮ＴＴＩフィーチャの導入により、ＵＥは、より小さいＴＴＩベースでスケジュールされる。ＵＥがより短いＴＴＩで構成される場合、Ｐｃｍａｘを推定するための規則はない。
【００２３】
キャリアアグリゲーションは、良好なチャネル状態およびより高いデータレートで送受信する能力を伴うユーザについて、ユーザ当たりのスループットを増大させる方法の１つである。ユーザは、ＤＬおよび／またはＵＬにおいて、２つまたは３つ（またはそれ以上）の同時帯域に設定することができる。
【００２４】
図５Ａは、同時に異なるセルを実行することができるネットワークノードを示す。具体的には、図５Ａは同時に４つの異なるセルを実行するネットワークノードを示す。これらのセルは、異なる帯域で動作するか、または同じ帯域で動作することもできる。Ｒｅｌ−８では、ｅＮＢとＵＥとの間の通信のために１つのセルのみが使用される。
【００２５】
しかしながら、ダウンリンク（ＤＬ）および／またはアップリンク（ＵＬ）における異なる数のＣＣに基づくＣＡケースが存在し得る。例えば、２ＤＬ  ＣＡシナリオ（すなわち、２つのＤＬ  ＣＣおよび１つのＵＬ  ＣＣを伴うＣＡ）が存在し得る。図５Ａと比較すると、図５Ｂは、ＤＬキャリアアグリゲーションの初期バージョンであって、１つの無線デバイスのためにセルのうちの二つがアクティブ化されることを示す。このシナリオでは、無線デバイスは２つのＤＬ帯域で同時に受信するよう構成され、一方で、いぜんとしてそれらの帯域のうちの１つだけでＵＬを使用する。この場合のＵＬ割り当ては任意であり、それらの帯域のいずれかをＵＬ送信に使用できることを意味する。
【００２６】
キャリアアグリゲーションの用語では、ＵＬが特定の無線デバイスに割り当てられるセルはＰＣｅｌｌ（プライマリセル）であり、他のアグリゲートされたセルはＳＣｅｌｌ（セカンダリセル）である。ＰＣｅｌｌとＳＣｅｌｌの組み合わせは、無線デバイス固有である。
【００２７】
さらに、３つのＤＬ帯域が任意の無線デバイス１１０に割り当てられ得る。このシナリオでは、図５Ｃに示すように、３ＤＬキャリアアグリゲーションが実現される。このシナリオは「３ＤＬ  ＣＡ」と考えることができ、ＣＡは、３ＤＬ  ＣＣおよび１つまたは２つのＵＬ  ＣＣを含む。２ＤＬの場合と同様に、ＵＬは、いずれの帯域にも割り当てることができる。
【００２８】
図５Ｄに示される別のシナリオでは、ＵＬキャリアアグリゲーションはまた、無線デバイスのためにイネーブルされ得る。これは「２ＵＬ  ＣＡ」と考えることができ、ＣＡは２つのＵＬ  ＣＣＳおよび２つまたは３つのＤＬ  ＣＣを含む。この場合、２ＵＬおよび２ＤＬキャリアアグリゲーションのみが示される。ＵＬキャリアアグリゲーションの場合、ＰＣｅｌｌおよびＳＣｅｌｌの定義は、依然としてＵＥ特定である。
【００２９】
キャリア周波数に応じて、または物理ｅＮＢ配備に応じて、ＣＡ可能システムの配備は非常に異なり得る。
【００３０】
図６Ａおよび図６Ｂは、ＣＡ配備の２つの例を提供する。具体的には図６Ａは、Ｆ１およびＦ２セルが同じ場所に配置され、重ね合わされるが、Ｆ２はより大きい経路損失のために、より小さいカバレッジを有することを示す。Ｆ１のみが十分なカバレッジを提供し、Ｆ２はスループットを改善するために使用される。モビリティは、Ｆ１カバレッジに基づいて実行される。これは、Ｆ１及びＦ２が異なる帯域、例えば、Ｆ１＝｛８００ＭＨｚ、２ＧＨｚ｝及びＦ２＝｛３．５ＧＨｚ｝等にある場合に起こり得るシナリオである。重なったＦ１セルとＦ２セルとの間でアグリゲーションが可能であることが予想される。図６Ｂは、異なる種類の配備を示す。この場合、Ｆ１はマクロカバレッジを提供し、Ｆ２上で、遠隔無線ヘッド（ＲＲＨ）が、ホットスポットにおけるスループットを改善するために使用される。モビリティは、Ｆ１カバレッジに基づいて実行される。起こり得るシナリオは、Ｆ１およびＦ２が異なる帯域、例えば、Ｆ１＝｛８００ＭＨｚ、２ＧＨｚ｝およびＦ２＝｛３．５ＧＨｚ｝などにある場合である。Ｆ２  ＲＲＨセルが基礎にあるＦ１マクロセルとアグリゲートし得ることが予想される。
【００３１】
現在の規格では、最小ＵＥ送信最大電力ＰＣＭＡＸ＿Ｌ，ｃはサブフレーム毎にＵＥによってスロット毎に評価される。いくつかの態様では、最終ＰＣＭＡＸ＿Ｌ，ｃ値はサブフレーム内の２つのスロットの最小値である。これは、最小リソース単位が１ＲＢであり、１ｍｓのＴＴＩ値に対応するので、理解できるものである。短縮ＴＴＩフィーチャの導入により、ＵＥは、より小さいＴＴＩベースでスケジュールされる。ＵＥがより短いＴＴＩで構成される場合、Ｐｃｍａｘを推定するための規則はない。
【発明の概要】
【００３２】
既存の解決策に伴う前述の問題に対処するために、異なる送信時間インデクス（ＴＴＩ）パターンを伴う設定出力電力を導くシステムおよび方法が開示される。
【００３３】
ある実施の形態によると、無線デバイスによる、最大出力電力を決定する方法が提供される。方法は、無線デバイスが、第１セルにおいて第１信号を第１キャリアで送信するための第１時間リソースおよび第２セルにおいて第２信号を第２キャリアで送信するための第２時間リソースを取得することを含む。第１時間リソースおよび第２時間リソースに基づいて、最大出力電力が決定される。第１信号および第２信号は、決定された最大出力電力に基づいて送信される。
【００３４】
ある実施の形態によると、最大出力電力を決定する無線デバイスが提供される。無線デバイスは、インストラクションを保持するメモリとプロセッサとを備え、該プロセッサは、インストラクションを実行することによって、無線デバイスに、第１セルにおいて第１信号を第１キャリアで送信するための第１時間リソースおよび第２セルにおいて第２信号を第２キャリアで送信するための第２時間リソースを取得することを行わせる。無線デバイスは、第１時間リソースおよび第２時間リソースに基づいて、最大出力電力を決定する。無線デバイスは、決定された最大出力電力に基づいて、第１セルにおいて第１信号を送信し、第２セルにおいて第２信号を送信する。
【００３５】
ある実施の形態によると、ネットワークノードによる、最大出力電力を決定する方法が提供される。方法は、無線デバイスを、第１セルにおいて第１信号を第１キャリアで送信するための第１時間リソースおよび第２セルにおいて第２信号を第２キャリアで送信するための第２時間リソースで設定することを含む。第１時間リソースと第２時間リソースとに基づいて最大出力電力が決定される。最大出力電力に基づいて、第１セル上での第１信号および第２セル上での第２信号のうちの少なくともひとつが受信される。
【００３６】
ある実施の形態によると、最大出力電力を決定するネットワークノードが提供される。ネットワークノードは、インストラクションを保持するメモリとプロセッサとを備え、該プロセッサは、インストラクションを実行することによって、ネットワークノードに、無線デバイスを、第１セルにおいて第１信号を第１キャリアで送信するための第１時間リソースおよび第２セルにおいて第２信号を第２キャリアで送信するための第２時間リソースで設定することを行わせる。ネットワークノードは、第１時間リソースと第２時間リソースとに基づいて最大出力電力を決定する。ネットワークノードは、最大出力電力に基づいて、第１セル上での第１信号および第２セル上での第２信号のうちの少なくともひとつを受信する。
【００３７】
本開示のある実施の形態は、１つまたは複数の技術的利点を提供することができる。例えば、ある実施の形態は、設定送信電力に関して、明確に定義された無線デバイス挙動を提供することができる。別の例として、技術的利点は、ＣＡ動作において異なるキャリアで異なるＴＴＩパターンが使用される場合に、設定送信電力に関する無線デバイス挙動が明確に定義されることであり得る。さらに別の例として、技術的利点は、ＣＡ内の異なるサービングセル上で同じまたは異なるＴＴＩで設定された無線デバイスによる信号の送信に関連する動作が強化されることであり得る。
【００３８】
他の利点は、当業者には明らかであろう。特定の実施の形態は、記載された利点のすべて、いくつか、またはいずれも有さなくてもよい。
【図面の簡単な説明】
【００３９】
開示される実施の形態並びにそのフィーチャおよび利点のより完全な理解のために、添付の図面と連携した以下の説明が参照される。
【図１】ＬＴＥ時間ドメイン構造の一例を示す。
【図２】例示的なダウンリンクサブフレームを示す。
【図３】ＵＬについてサポートされる例示的な７シンボルｓＴＴＩ構成を示す。
【図４】ＵＬについてサポートされるべき４シンボルｓＴＴＩの例を示す。
【図５Ａ】図５Ａ〜５Ｄは、例示的なキャリアアグリゲーションシナリオを示す。
【図５Ｂ】図５Ａ〜５Ｄは、例示的なキャリアアグリゲーションシナリオを示す。
【図５Ｃ】図５Ａ〜５Ｄは、例示的なキャリアアグリゲーションシナリオを示す。
【図５Ｄ】図５Ａ〜５Ｄは、例示的なキャリアアグリゲーションシナリオを示す。
【図６Ａ】図６Ａ〜６Ｂは、例示的なキャリアアグリゲーション配備シナリオを示す。
【図６Ｂ】図６Ａ〜６Ｂは、例示的なキャリアアグリゲーション配備シナリオを示す。
【図７】特定の実施の形態による、キャリアアグリゲーションについて、異なるＴＴＩパターンを伴う設定出力電力を導くための例示的なネットワークを示す。
【図８Ａ】図８Ａ〜８Ｃは、キャリアアグリゲーションにおける例示的なＴＴＩ構成を示す。
【図８Ｂ】図８Ａ〜８Ｃは、キャリアアグリゲーションにおける例示的なＴＴＩ構成を示す。
【図８Ｃ】図８Ａ〜８Ｃは、キャリアアグリゲーションにおける例示的なＴＴＩ構成を示す。
【図９】アップリンクおよびダウンリンクが関与するスケジューリングの例を示す。
【図１０】特定の実施の形態による、最大出力電力を導出するための例示的な無線デバイスを示す。
【図１１】特定の実施の形態による、無線デバイスによる、最大出力電力を導出するための例示的な方法を示す。
【図１２】特定の実施の形態による、１４−ＯＳおよび７−ＯＳ  ＴＴＩがキャリアアグリゲーションの組み合わせに関与する２つのセルで使用される場合の例を示す。
【図１３】特定の実施の形態による、１４−ＯＳおよび７−ＯＳ  ＴＴＩがキャリアアグリゲーションの組み合わせに関与する２つのセルで使用される例示的なＰＣＭＡＸ定義を示す。
【図１４】特定の実施の形態による、４−ＯＳおよび１４−ＯＳ  ＴＴＩパターンがキャリアアグリゲーションの組み合わせに関与する２つのセルで使用される場合の例示的なＰＣＭＡＸ定義を示す。
【図１５】特定の実施の形態による、１４−ＯＳおよび７−ＯＳ  ＴＴＩパターンがレガシーＴＴＩパターンからのスロットベースと比較して、キャリアアグリゲーションの組み合わせで使用される場合の例示的なＰＣＭＡＸ定義を示す。
【図１６】異なるＴＴＩ長を使用することを示す。
【図１７】特定の実施の形態による、無線デバイスによる、最大出力電力を導出するための別の例示的な方法を示す。
【図１８】特定の実施の形態による、最大出力電力を導出するための例示的な仮想計算デバイスを示す。
【図１９】特定の実施の形態による、最大出力電力を導出するための例示的なネットワークノードを示す。
【図２０】特定の実施の形態による、ネットワークノードによる、最大出力電力を導出するための例示的な方法を示す。
【図２１】特定の実施の形態による、ネットワークノードによる、最大出力電力を導出するための別の例示的な方法を示す。
【図２２】特定の実施の形態による、最大出力電力を導出するための別の例示的な仮想計算デバイスを示す。
【発明を実施するための形態】
【００４０】
特定の実施の形態を図１−２２で説明する。同等の符号は種々の図面の同等の対応する部材のために用いられる。
【００４１】
図７は、特定の実施の形態による、異なる時間リソースについて最大出力電力を導出するためのネットワーク１００の実施の形態を示すブロック図である。特定の実施の形態では、異なる時間リソースを有するものは異なる送信時間インデクス（ＴＴＩ）パターンを含むことができる。
【００４２】
ネットワーク１００は、無線デバイス１１０またはＵＥ１１０とも交換可能に呼ばれ得る１つまたは複数の無線デバイス１１０Ａ〜Ｃと、ネットワークノード１１５またはｅノードＢ１１５とも交換可能に呼ばれ得るネットワークノード１１５Ａ〜Ｃと、を含む。無線デバイス１１０は、無線インタフェースを介してネットワークノード１１５と通信することができる。例えば、無線デバイス１１０Ａはネットワークノード１１５のうちの１つまたは複数に無線信号を送信し、および／またはネットワークノード１１５のうちの１つまたは複数から無線信号を受信することができる。無線信号は、音声トラフィック、データトラフィック、制御信号、および／または任意の他の適切な情報を含み得る。いくつかの実施の形態では、ネットワークノード１１５に関連付けられた無線信号カバレッジのエリアはセルと呼ばれ得る。いくつかの実施の形態では、無線デバイス１１０はＤ２Ｄ機能を有することができる。したがって、無線デバイス１１０は、別の無線デバイス１１０から信号を受信すること、および／または別の無線デバイス１１０に信号を直接送信することが可能であり得る。例えば、無線デバイス１１０Ａは、無線デバイス１１０Ｂから信号を受信すること、および／または無線デバイス１１０Ｂに信号を送信することが可能であり得る。
【００４３】
ある実施の形態では、ネットワークノード１１５は無線ネットワークコントローラ（図７では不図示）とインタフェースすることができる。無線ネットワークコントローラはネットワークノード１１５を制御することができ、特定の無線リソース管理機能、モビリティ管理機能、および／または他の適切な機能を提供することができる。ある実施の形態では、無線ネットワークコントローラの機能はネットワークノード１１５に含まれてもよい。無線ネットワークコントローラは、コアネットワークノードとインタフェースすることができる。ある実施の形態では、無線ネットワークコントローラは、相互接続ネットワークを介してコアネットワークノードとインタフェースすることができる。相互接続ネットワークは、音声、ビデオ、信号、データ、メッセージ、またはこれらの任意の組合せを送信することができる任意の相互接続システムを指すことができる。相互接続ネットワークは、公衆交換電話網（ＰＳＴＮ）、公衆または私設データネットワーク、ローカルエリアネットワーク（ＬＡＮ）、メトロポリタンエリアネットワーク（ＭＡＮ）、ワイドエリアネットワーク（ＷＡＮ）、ローカル、リージョナル、またはグローバル通信、またはインターネットなどのコンピュータネットワーク、有線もしくは無線ネットワーク、企業イントラネット、またはそれらの組合せを含む任意の他の適切な通信リンクなどのすべてまたは一部を含むことができる。
【００４４】
いくつかの実施の形態では、コアネットワークノードは、無線デバイス１１０のための通信セッションの確立および様々な他の機能を管理することができる。無線デバイス１１０は、非アクセス階層レイヤを使用して、コアネットワークノードと特定の信号を交換することができる。非アクセス階層シグナリングでは、無線デバイス１１０とコアネットワークノードとの間の信号は無線アクセスネットワークを透過的に通過してもよい。ある実施の形態では、ネットワークノード１１５は、ノード間インタフェースを介して１つまたは複数のネットワークノードとインタフェースすることができる。例えば、ネットワークノード１１５Ａおよび１１５Ｂは、Ｘ２インタフェースを介してインタフェースすることができる。
【００４５】
上述の通り、ネットワーク１００の例示的な実施の形態は、ひとつ以上の無線デバイス１１０と、ひとつ以上の異なるタイプのネットワークノードであって無線デバイス１１０と通信可能（直接的にまたは間接的に）なネットワークノードと、を含んでもよい。無線装置１１０は、セルラまたはモバイル通信システムにおいてノードおよび／または別の無線デバイスと通信する任意のタイプの無線デバイスを指すことができる。無線デバイス１１０の例は、携帯電話、スマートフォン、ＰＤＡ（パーソナルデジタルアシスタント）、可搬コンピュータ（例えば、ラップトップ、タブレット）、センサ、モデム、マシンタイプ通信（ＭＴＣ）デバイス／マシン対マシン（Ｍ２Ｍ）デバイス、ラップトップ組み込み装置（ＬＥＥ）、ラップトップ搭載装置（ＬＭＥ）、ＵＳＢドングル、Ｄ２Ｄ可能デバイス、または無線通信を提供可能な任意の他のデバイスを含む。いくつかの実施の形態では、無線デバイス１１０はＵＥ、ステーション（ＳＴＡ）、デバイス、または端末とも呼ばれ得る。また、いくつかの実施の形態では、一般用語「無線ネットワークノード」（または単に「ネットワークノード」）が使用される。それは、ノードＢ、基地局（ＢＳ）、ＭＳＲ  ＢＳなどのマルチスタンダード無線（ＭＳＲ）無線ノード、ｅノードＢ、ネットワークコントローラ、無線ネットワークコントローラ（ＲＮＣ）、基地局コントローラ（ＢＳＣ）、リレードナーノード制御リレー、基地トランシーバ局（ＢＴＳ）、アクセスポイント（ＡＰ）、送信ポイント、送信ノード、ＲＲＵ、ＲＲＨ、分散アンテナシステム（ＤＡＳ）内のノード、コアネットワークノード（例えば、ＭＳＣ、ＭＭＥなど）、Ｏ＆Ｍ、ＯＳＳ、ＳＯＮ、位置決めノード（例えば、Ｅ−ＳＭＬＣ）、ＭＤＴ、または任意の適切なネットワークノードを含んでもよい任意の種類のネットワークノードであってもよい。無線デバイス１１０およびネットワークノード１１５の例示的な実施の形態を、それぞれ図１０および１７に関してより詳細に説明する。
【００４６】
図７はネットワーク１００の特定の構成を示すが、本開示は本明細書で説明される様々な実施の形態が任意の適切な構成を有する様々なネットワークに適用され得ることを企図する。例えば、ネットワーク１００は、任意の適切な数の無線デバイス１１０およびネットワークノード１１５、ならびに無線デバイス間または無線デバイスと別の通信デバイス（陸線電話など）との間の通信をサポートするのに適切な任意の追加の要素を含み得る。さらに、特定の実施の形態はロングタームエボリューション（ＬＴＥ）ネットワークにおいて実装されるように説明され得るが、実施の形態は任意の適切な通信規格をサポートし、任意の適切な構成要素を使用する任意の適切なタイプの電気通信システムにおいて実装されうるものであり、無線デバイスが信号（例えば、データ）を受信および／または送信する任意の無線アクセス技術（ＲＡＴ）またはマルチＲＡＴシステムに適用可能である。例えば、本明細書で説明される様々な実施の形態は、ＬＴＥ、ＬＴＥ−Ａｄｖａｎｃｅｄ、ＬＴＥ−Ｕ、ＵＭＴＳ、ＨＳＰＡ、ＧＳＭ、ｃｄｍａ２０００、ＷｉＭａｘ、ＷｉＦｉ、他の適切な無線アクセス技術、または１つまたは複数の無線アクセス技術の任意の適切な組み合せに適用可能であり得る。特定の実施の形態はダウンリンクにおける無線送信の文脈で説明されうるが、本開示は、様々な実施の形態がアップリンクにおいて等しく適用可能であり、逆もまた同様であることを企図する。同様に、本明細書で説明される異なるＴＴＩパターンを伴う設定出力電力を導くための技法は、ライセンス免除チャネルにおけるＬＡＡ  ＬＴＥおよびスタンドアロンＬＴＥ動作の両方に適用可能であり、一般に、ネットワークノード１１５および無線デバイス１１０の両方からの送信に適用可能である。
【００４７】
本明細書で説明するように、用語「第１ノード」および「第２ノード」は、ライセンスされていないスペクトル（または２つ以上のシステムが何らかの種類の共有規則に基づいて動作する共有スペクトル）で送信または受信している２つのノードを指すために使用することができ、上述のノードのいずれも「第１ノード」および／または「第２ノード」と呼ぶことができる。
【００４８】
キャリア、ＰＣＣ、またはＳＣＣとも交換可能に呼ばれるコンポーネントキャリア（ＣＣ）は、上位レイヤシグナリングを使用してネットワークノードによって無線デバイスにおいて設定される。例えば、ＣＣは、無線デバイスにＲＲＣ設定メッセージを送信することによって設定され得る。設定されたＣＣは、設定されたＣＣのサービングセル（例えば、ＰＣｅｌｌ、ＰＳＣｅｌｌ、ＳＣｅｌｌなど）上で無線デバイスを担当するためにネットワークノードによって使用され得る。設定されたＣＣはまた、ＣＣ上で動作するセル、例えば、ＰＣｅｌｌ、ＳＣｅｌｌ、またはＰＳＣｅｌｌ、および隣接セル、上で１つまたは複数の無線測定（例えば、ＲＳＲＰ、ＲＳＲＱなど）を実行するために、無線デバイスによって使用される。
【００４９】
フォールバックモードという用語は、本明細書では無線デバイス１１０によってサポートされるＣＡ組み合わせにおけるＣＣの最大数よりも少ない数のＣＣを含むキャリアアグリゲーション（ＣＡ）設定を指す。例えば、４つのＤＬ  ＣＣおよび１つのＵＬ  ＣＣの最大ＣＡ設定を伴うＣＡ組み合わせをサポートする無線デバイス１１０は、以下の３つのフォールバックモードをサポートすることができる：３つのＤＬ  ＣＣおよび１つのＵＬ  ＣＣ、１つのＤＬ  ＣＣおよび１つのＵＬ  ＣＣ、ＤＬ  ＣＣおよび１つのＵＬ  ＣＣ（すなわち、シングルキャリア動作）。フォールバックモードという用語は、下位ＣＡ組み合わせ、下位ＣＡ設定、フォールバックＣＡモード、フォールバックＣＡ設定モード、フォールバックＣＡ組み合わせなどとも交換可能に呼ばれる。
【００５０】
本明細書で使用される信号という用語は、任意の物理信号または物理チャネルとすることができる。物理信号の例は、ＰＳＳ、ＳＳＳ、ＣＲＳ、ＰＲＳなどの基準信号である。本明細書で使用される（例えば、チャネル受信の文脈における）物理チャネルという用語は、「チャネル」とも呼ばれる。物理チャネルの例は、ＭＩＢ，ＰＢＣＨ，ＮＰＢＣＨ，ＰＤＣＣＨ，ＰＤＳＣＨ，ｓＰＵＣＣＨ，ｓＰＤＳＣＨ、ｓＰＵＣＣＨ、ｓＰＵＳＣＨ，ＭＰＤＣＣＨ，ＮＰＤＣＣＨ，ＮＰＤＳＣＨ，Ｅ−ＰＤＣＣＨ，ＰＵＳＣＨ，ＰＵＣＣＨ，ＮＰＵＳＣＨ，などである。
【００５１】
本明細書で使用される「時間リソース」という用語は、時間の長さで表される任意のタイプの物理リソースまたは無線リソースに対応してもよい。時間リソースの例は、シンボル、タイムスロット、サブフレーム、無線フレーム、ＴＴＩ、インタリーブ時間などである。
【００５２】
本明細書で使用される用語ＴＴＩは、物理チャネルが送信のために符号化され、インターリーブされることができる任意の期間（Ｔ０）に対応することができる。物理チャネルは、それを符号化したときにかかった期間と同じ期間（Ｔ０）にわたって受信器によって復号される。ＴＴＩはまた、短いＴＴＩ（ｓＴＴＩ）、送信時間、送信時間間隔、スロット、サブスロット、ミニスロット、短いサブフレーム（ＳＳＦ）、ミニサブフレームなどと互換的に呼ばれ得る。
【００５３】
本明細書で使用される用語Ｐｃｍａｘは、ＵＥ最大出力電力を定義する任意のパラメータに対応し得る。いくつかの実施の形態において、Ｐｃｍａｘは、Ｐ１によって示される。パラメータはあらかじめ定義されてもよいし、設定されてもよい。パラメータは、ＵＥの公称出力電力以下であってもよい。Ｐｃｍａｘはまた、本明細書では、ＵＥ最大送信電力、ＵＥ最大設定電力、ＵＥ最大動作電力などと交換可能に呼ばれる。
【００５４】
本明細書で使用される要件という用語は、無線デバイス測定に関連する任意のタイプの無線デバイス要件を含んでもよく、そのような要件は、無線要件、測定要件、ＲＲＭ要件、モビリティ要件、測位測定要件などとしても知られる。無線デバイス測定に関連する無線デバイス要件の例は、測定時間、測定報告時間または遅延、測定確度（例えば、ＲＳＲＰ／ＲＳＲＱ確度）、測定時間にわたって測定されるべきセルの数などである。測定時間の例は、Ｌ１測定期間、セル識別時間またはセルサーチ遅延、ＣＧＩ取得遅延などである。
【００５５】
いくつかの実施の形態では、無線デバイス１１０は異なるＴＴＩ長さまたはパターンなどの異なる時間リソースで構成され得る。１つの例示的なシナリオでは、無線デバイス１１０は、少なくとも２つのサービングセル（たとえば、ＰＣｅｌｌ、ＳＣｅｌｌなど）で構成されてもよく、これはキャリアアグリゲーションやマルチキャリア動作とも称される。無線デバイス１１０は、少なくとも２つの異なるＴＴＩ（例えば、１ｍｓのＴＴＩおよび２−ＯＳのＴＴＩなど）が可能であってもよい。無線デバイス１１０は、異なるサービングセルにおいて無線デバイス１１０によってサポートされる複数のＴＴＩのうちの任意の１つで構成され得る。例えば、無線デバイス１１０は、ＰＣｅｌｌおよびＳＣｅｌｌの両方で動作するためのＴＴＩ＝１、またはＰＣｅｌｌおよびＳＣｅｌｌの両方で動作するためのＴＴＩ＝２−ＯＳで構成され得る。
【００５６】
ある実施の形態では、無線デバイス１１０はまた、異なるサービングセル内の任意の異なるＴＴＩで構成されてもよい。例えば、無線デバイス１１０はＰＣｅｌｌおよびＳＣｅｌｌ上で動作するためのそれぞれＴＴＩ＝１およびＴＴＩ＝７−ＯＳで構成され得る。
【００５７】
ある実施の形態では、無線デバイス１１０はさらに、無線デバイス１１０の１つまたは複数のサービングセルにおいてＴＴＩが経時的に変更される原因となる動作をサポートすることが可能であり得る。追加的にまたは代替的に、無線デバイス１１０は、そのサービングセルのうちの任意の１つまたは複数のアップリンクおよびダウンリンクにおいて異なるＴＴＩを使用する動作をサポートすることがさらに可能であり得る。基本シナリオの一例を表１に示す：
2019536350.tif 000008
【００５８】
図８Ａ〜８Ｃは、特定の実施の形態による、アップリンクキャリアアグリゲーションネットワーク内の異なるアップリンクキャリアにおける異なるＴＴＩパターンの例を示す。現在使用されているＴＴＩ長は、１４個のＯＦＤＭシンボルからなる。短縮ＴＴＩの場合、ＴＴＩ長は１４未満の定義された数、例えば、２個のＯＦＤＭシンボル、または７個のＯＦＤＭシンボルに低減され得る。これらの例は以下のように表される：それぞれ、２−ＯＳ  ｓＴＴＩ、および７−ＯＳ  ｓＴＴＩ。
【００５９】
異なる方向に異なるＴＴＩ長を設定することができる、すなわち、ダウンリンクとアップリンクとの間で異なるＴＴＩ長を設定してもよく、または、アップリンクとダウンリンクとで同じＴＴＩ長を設定してもよい。異なるＴＴＩ長は、異なる短縮ＴＴＩ長であってもよく、または現在のＴＴＩ長（１４シンボル）および短縮ＴＴＩ長であってもよい。例えば、ダウンリンクおよびアップリンクＴＴＩ長｛ＤＬ；ＵＬ｝は、｛２，２｝、｛７，７｝または｛２，７｝であってもよい。
【００６０】
図８Ａ〜８Ｃは、キャリアアグリゲーション送信のコンポーネントキャリア（ＣＣ１、ＣＣ２）上の異なるＴＴＩ長の例を示す。図８Ａでは、ＣＣ１は２つのスロット＃０および＃１に分割される１ｍｓのＴＴＩを有し、ＣＣ２は２−ＯＦＤＭシンボルおよび３−ＯＦＤＭシンボルのｓＴＴＩを有する。図８Ｂでは、ＣＣ１は２つのスロット＃０および＃１に分割される１ｍｓのＴＴＩを有し、ＣＣ２は７−ＯＦＤＭシンボルのｓＴＴＩを有する。図８Ｃでは、ＣＣ１は７−ＯＦＤＭシンボルのｓＴＴＩを有し、ＣＣ２は２−ＯＦＤＭシンボルおよび３−ＯＦＤＭシンボルのｓＴＴＩを有する。
【００６１】
アップリンクＣＡの場合、ＵＬキャリアは、同じＰＵＣＣＨグループ内で同じ長さを有することができる。あるいはまた、異なるｓＴＴＩ長が異なるＰＵＣＣＨグループにおいて設定され得る。異なる組み合わせが以下で考慮される。
【００６２】
図９は、特定の実施の形態による、アップリンク送信タイミングに対するアップリンク許可の例を示す。ＤＬにおいて送信されるＵＬ許可（ＵＬ  Ｇ）は、ＵＬ送信（ＵＬ  Ｔｘ）を許可する。図９のＵＬ許可の復号およびＵＬ送信の準備の両方がいくらかの時間を要するので、ＵＬ送信は、指定された持続時間の後に行われるように指定される。ＬＴＥおよび２−ＯＳ  ｓＴＴＩの例として、この処理時間は３ｓＴＴＩ期間（Ｎ＋４タイミングとしても知られる）であると仮定する。場合によっては、処理時間は代替的に、５ｓＴＴＩ期間（Ｎ＋６タイミングとしても知られる）とすることができる。
ＵＬ  Ｔｘ間の時間ギャップは、２ｓＴＴＩとして設定されてもよい。第２のＵＬ送信がスケジュールされない場合、ＵＥは、ＲＦコンポーネントおよびＰＡ  ＯＮを維持することで位相基準を維持する理由はない。
【００６３】
図１０は、ある実施の形態による、キャリアアグリゲーションにおける異なるＴＴＩ長またはパターンなどの異なる時間リソースについて最大出力電力を導出するための例示的な無線デバイス１１０を示す。図示のように、無線デバイス１１０は、トランシーバ２１０と、プロセッサ２２０と、メモリ２３０と、を含む。ある実施の形態では、トランシーバ２１０は、ネットワークノード１１５への（例えば、アンテナを介した）無線信号の送信およびネットワークノード１１５からの（例えば、アンテナを介した）無線信号の受信を促進し、プロセッサ２２０はインストラクションを実行することで上で無線デバイス１１０によって提供されるものとして説明されている機能のいくつかまたは全てを提供し、メモリ２３０はプロセッサ２２０によって実行されるインストラクションを保持する。無線デバイス１１０の例は、上記で提供される。
【００６４】
プロセッサ２２０は、インストラクションを実行しデータを操作することで無線デバイス１１０の説明される機能のうちのいくつかまたは全てを行うために、ひとつ以上のモジュールで実装されるハードウエアおよびソフトウエアの任意の適切な組み合わせを含んでもよい。ある実施の形態では、プロセッサ２２０は、例えば、ひとつ以上のコンピュータ、ひとつ以上の中央演算ユニット（ＣＰＵ）、ひとつ以上のマイクロプロセッサ、ひとつ以上のアプリケーション、および／または他のロジック、を含んでもよい。
【００６５】
メモリ２３０は一般に、コンピュータプログラム、ソフトウエア、論理や規則やアルゴリズムやコードやテーブルなどのうちの１つまたは複数を含むアプリケーション、および／またはプロセッサによって実行可能な他のインストラクションなどのインストラクションを保持するように動作可能である。メモリ２３０の例は、コンピュータメモリ（例えば、ランダムアクセスメモリ（ＲＡＭ）やリードオンリメモリ（ＲＯＭ））、大容量ストレージ媒体（例えば、ハードディスク）、リムーバブルストレージ媒体（例えば、コンパクトディスク（ＣＤ）やデジタルビデオディスク（ＤＶＤ））、および／または情報を保持する任意の他の揮発性または不揮発性、非一時的コンピュータ可読および／またはコンピュータ実行可能メモリデバイスを含む。
【００６６】
無線デバイス１１０の他の実施の形態は、無線デバイスの機能のある側面を提供することの責を負う、図１０に示されるものを超える追加的なコンポーネントを含んでもよく、そのような機能は上述の機能のいずれかおよび／または追加的な機能（上述の解をサポートするのに必要な機能を含む）を含む。
【００６７】
図１１は、特定の実施の形態による、無線デバイス１１０による、最大出力電力を導出するための例示的な方法３００を示す。この方法はステップ３０２で始まり、そこでは無線デバイス１１０が第１キャリア上の第１セルと無線デバイス１１０との間の第１信号（Ｓ１）を動作させるために使用される第１ＴＴＩと、第２キャリア上の第２せると無線デバイス１１０との間の第２信号（Ｓ２）を動作させるために使用される第２ＴＴＩと、を取得または決定する。いくつかの実施の形態では、第１ＴＴＩの設定はネットワークノード１１５からメッセージを受信することによって実行され得る。特定の実施形態では、例えば、メッセージはＲＲＣメッセージを含むことができる。
【００６８】
第１セルは、無線デバイス１１０のサービングセルであり得る。サービングセルの例は、ＰＣｅｌｌ、ＰＳＣｅｌｌ、および他のセルである。サービングセルを活性化または不活性化することができる。第１セルがアップリンク（ＵＬ）サービングセルに対応する場合、第１ＴＴＩは、ＵＬサービングセルのＴＴＩに対応する。
【００６９】
本明細書において第１セルと無線デバイス１１０との間の、第１信号（Ｓ１）とも呼ばれる動作信号という用語は、ＵＥによる第１セルからの信号（Ｓ１１）の受信および／または無線デバイス１１０による第１セルへの信号（Ｓ１２）の送信を含むことができる。無線デバイス１１０において第１セルから信号を受信するＳ１１の例は、ＰＤＣＣＨ、ＰＤＳＣＨ、ｓＰＤＣＣＨ、ｓＰＤＳＣＨなどのＤＬチャネルである。無線デバイス１１０によって第１セルに信号を送信するＳ１２の例は、ＰＵＣＣＨ、ＰＵＳＣＨ、ｓＰＵＣＣＨ、ｓＰＵＳＣＨ、および他の適切なＵＬチャネルなどのＵＬチャネルである。
【００７０】
いくつかの実施の形態では、無線デバイス１１０は以下の原理のうちの１つまたは複数に基づいて第１ＴＴＩを決定することができる：
●例えば、第１ＴＴＩと第１周波数帯域との間の関係などの所定の情報。
●ネットワークノード１１５から受信した設定。例えば、ＵＥは、ＤＬにおいて制御信号を受信することによって、またはＲＲＣメッセージを受信することによって、任意のキャリアにおいて任意の時刻において使用されるＴＴＩパターンを決定することができる。
●事前に定義されたルール。ルールの例は以下の通りである：
○参照セルで使用されるのと同じＴＴＩを適用する。参照セルは、ＰＣｅｌｌ、ＰＳＣｅｌｌ、または別の適切な参照セルを含むことができる。
○第１セルの反対方向で使用されるＴＴＩに基づく。例えば：
■ＵＬおよびＤＬセル１において同じＴＴＩを仮定する。
■ＵＬ  ｃｅｌｌ１が、ＤＬ  ｃｅｌｌ１のＴＴＩよりも短くないＴＴＩを使用すると仮定する。
●例えば、異なる事前定義ＴＴＩのＤＬチャネルを復号しようと試みることによる、無線デバイス１１０によるブラインド検出などによる自律決定。
【００７１】
無線デバイス１１０はまた、ステップ３０２において、第２キャリア上の第２セルと無線デバイス１１０との間の第２信号を動作させるために使用される第２ＴＴＩを取得または決定する。第２セルは、無線デバイス１１０のサービングセルであり得る。再び、サービングセルの例は、ＰＣｅｌｌ、ＳＣｅｌｌ、ＰＳＣｅｌｌなどである。サービングセルを活性化または不活性化することができる。例えば、第１セルがＵＬサービングセルに対応する場合、第２ＴＴＩは、サービングセルのＴＴＩに対応してもよい。
【００７２】
第２セルと無線デバイス１１０との間の動作信号は、無線デバイス１１０による第２セルからの信号（Ｓ２１）の受信および／または無線デバイス１１０による第２セルへの信号（Ｓ２２）の送信を含み得る。無線デバイス１１０において第１セルから信号を受信するＳ２１の例は、ＰＤＣＣＨ、ＰＤＳＣＨ、ｓＰＤＣＣＨ、ｓＰＤＳＣＨなどのＤＬチャネルである。無線デバイス１１０によって第１セルに信号を送信するＳ２２の例は、ＰＵＣＣＨ、ＰＵＳＣＨ、ｓＰＵＣＣＨ、ｓＰＵＳＣＨ、および他の適切なＵＬチャネルなどのＵＬチャネルである。
【００７３】
ある実施の形態では、無線デバイス１１０は、第１セルにおける動作のための第１ＴＴＩを取得または決定するために上記で説明されたメカニズムのうちの１つまたは複数に基づいて、第２ＴＴＩを決定し得る。ある実施の形態では、無線デバイスは、第３セル、第４セルなどを含む、任意の数のセルのＴＩを決定するために、上述したのと同じ原理を使用することができる。したがって、様々な実施の形態は、無線デバイス１１０が任意の数のサービングセルを動作させるための任意の数のＴＴＩで設定される場合に適用可能である。
【００７４】
ステップ３０４において、無線デバイス１１０は、第１ＴＴＩおよび第２ＴＴＩの決定された値に基づいて、最大出力電力パラメータ（Ｐ１）を決定する。Ｐ１の推定は、それぞれ、そのサービングセル（第１セルおよび第２セル）において少なくとも信号を送信するために無線デバイス１１０によって使用される少なくとも第１ＴＴＩおよび第２ＴＴＩに依存するウインドウまたは持続時間（Ｔｗ）にわたって行われ得る。パラメータＴｗは、参照時間、参照ＴＴＩ長またはウインドウ、ＴＴＩ参照（ＴＴＩｒｅｆ）、Ｐｃｍａｘ参照時間、最大電力の推定期間などと呼ばれることもある。
【００７５】
より具体的には、Ｐ１を計算または推定するために使用される値Ｔｗは、それぞれ、第１セルのＵＬおよび第２セルのＵＬにおいて無線デバイス１１０によって使用される第１ＴＴＩ１および第２ＴＴＩ２の関数である。これは、以下の式で表すことができる：
2019536350.tif 000009
一例では、ＴＴＩ１およびＴＴＩ２の関数は、ＴＴＩ１またはＴＴＩ２の長さのうちの１つ、例えばより長いもの、を選択する。さらなる例示的な実施の形態として、Ｔｗの値は、ＴＴＩ１および／またはＴＴＩ２の一部として選択される。例えば、値Ｔｗは、ＴＴＩ１またはＴＴＩ２の最長ＴＴＩ持続時間の半分として選択される。あるいはまた、値Ｔｗは、ＴＴＩ１および／またはＴＴＩ２の別の一部であるように選択される。Ｔｗの値はＴＴＩ１およびＴＴＩ２の長い方に基づいてもよいし、ＴＴＩ１および／またはＴＴＩ２（または任意の他のＴＴＩ）の一方または両方を使用する別の基準に基づいてもよい。いくつかの態様では、Ｔｗの値は、ＴＴＩ１および／またはＴＴＩ２の長さの値全体として構成される。いくつかの例では、Ｔｗの値は、例えば、ＴＴＩの最大長が７つのＯＦＤＭシンボルまたは所定値以上である場合、７つのＯＦＤＭシンボルまたは別の所定値であると決定されてもよい。上記の例は任意の数のＴＴＩに適用可能であり、複数のＴＴＩ長に一般に適用されると考えることができる。Ｔｗを決定する関数は、ＴＴＩ１またはＴＴＩ２のいずれかとは異なる長さを決定することができる。Ｔｗの値を示す情報、またはＴｗを生成するように構成されたパラメータまたは情報を、無線デバイスによって決定することができ、またはネットワークノードから無線デバイスにシグナリングすることができ、またはＴｗの値を、所定の値に基づいて無線デバイスによって決定することができ、または無線デバイスの何らかの他の信号もしくは設定から導出することができる。
【００７６】
特定の他の実施の形態では、Ｔｗの値は、第１セルにおいてＵＬで使用されるＴＴＩ（ＴＴＩ１ｕ）およびＤＬで使用されるＴＴＩ（ＴＴＩ１ｄ）、第２セルにおいてＵＬで使用されるＴＴＩ（ＴＴＩ２ｕ）、および無線デバイスによって第２セルにおいてＤＬで使用されるＴＴＩ（ＴＴＩ２ｄ）に依存し得る。例えば、Ｔｗは、以下の関数を用いて表すことができる：
2019536350.tif 000010
上記の原理またはルールは、無線デバイス１１０のために構成された任意の数のサービングセルに適用することができる。任意の例のＴｗの値は例えば、上述のように、定義された１つのＴＴＩまたはＴＴＩの組み合わせの全長または長さの選択された部分として構成されてもよい。
【００７７】
そのすべての設定されたサービングセルについて決定されたＴＴＩの集合ごとに、無線デバイス１１０は、ＰＣＭＡＸ＿Ｌ，ｃの値およびＰＣＭＡＸ，ｃの値を決定することができる。いくつかの例を以下に提供する。
最大出力電力を決定するための一般的な関数の一例は、式（４）で表すことができる
2019536350.tif 000011
式４において、第１ＴＴＩ（ＴＴＩ１）および第２ＴＴＩ（ＴＴＩ２）は、それぞれ、第１セル（ｃｅｌｌ１）のＵＬおよび第２セル（ｃｅｌｌ２）のＵＬにおいて使用されるＴＴＩである。例示的な実施の形態として、（ＰＣＭＡＸ，ＰＣＭＡＸ＿Ｌ）の値は時間ウインドウ（Ｔｗ）にわたって、ＴＴＩ１および／またはＴＴＩ２の部分として、例えば、適用可能な最長のＴＴＩ持続時間の半分として、推定することができる。使用される時間ウインドウは例えば、１つ以上のＴＴＩ長に基づいて、任意の基準または関数によって決定されてもよい。
【００７８】
このような関数の具体例を以下の説明に示す。このような関数は、まず、ＵＥが信号を送信するために使用されるべき最大出力電力を評価すべき長さを決定する。
【００７９】
両方のＴＴＩが同じ長さ（ＴＴ１＝ＴＴ２）を有する場合、明らかな選択肢は、そのＴＴＩをタイミングリファレンス（ＴＴＩＲＥＦ）として選択することである。
【００８０】
ＴＴＩが異なる値を有する場合、１つの例は表３に示されるように、両方の値の最小公倍数を考慮することである：
2019536350.tif 000012
【００８１】
短縮ＴＴＩが４ＯＳであると指定された場合であっても、常にスロットおよびサブフレームが整列されるように、短縮ＴＴＩは３ＯＳから４ＯＳまで変化することに留意されたい。同様に、２  ＯＳ  ＴＴＩは、２  ＯＳから３  ＯＳまで変化する。
【００８２】
（＊＊）例示は、使用される任意のＴＴＩ長、すなわちＴＴＩ１およびＴＴＩ２、とは異なったＴＴＩＲＥＦの決定であり得ることに留意されたい。
【００８３】
いくつかの例では、推定ウインドウ（ＴＴＩＲＥＦ）は、例えば、最長ＴＴＩの長さを選択することによって、複数のＴＴＩに基づく。あるいはまた、ＴＴＩＲＥＦはＴＴＩ長のうちの１つ（例えば、最長ＴＴＩ）の一部（例えば、半分）であってもよい。いくつかの例では、ＴＴＩＲＥＦは使用されるＴＴＩ長のいずれとも異なり、例えば、使用される１つ以上のＴＴＩ長に従って選択されてもよい所定の値であってもよい。いくつかの例では、ＴＴＩＲＥＦはスロット（すなわち、７個のＯＦＤＭシンボル）である。
【００８４】
このＴＴＩＲＥＦが決定されると、ＴＳ３６．１０１のセクション６．２．５Ａで指定される既存の要件は、ＵＥの最大出力電力を決定するために適用されるが、特定の実施の形態ではサブフレームごとに電力を推定する代わりに、ＴＴＩＲＥＦごとにそのような推定が行われてもよい。
【００８５】
図１２は、２つの異なるＴＴＩパターンが任意のキャリアアグリゲーションの組み合わせで使用される場合のＰＣＭＡＸ定義の例示的な実施の形態を示す。具体的には、図１２は１４−ＯＳおよび７−ＯＳパターンが使用される場合の例示的なＰＣＭＡＸ定義を示す。トータルの設定最大出力電力ＰＣＭＡＸは、以下の範囲内に設定されてもよい：
2019536350.tif 000013
ここで、
2019536350.tif 000014
【００８６】
特定の実施の形態では、上述のＰＣＭＡＸを参照ＴＴＩに適用することができる。例えば、上述のＰＣＭＡＸは、第１セルのＴＴＩ（ｎ）及び第２セルのＴＴＩ（ｎ，０）及びＴＴＩ（ｎ，１）に適用されてもよい。ＰＣＭＡＸ＿Ｌ，ａ（ｂ）およびＰＣＭＡＸ＿Ｈ，ａ（ｂ）は、それぞれ、ＴＴＩｂ上のセルａについてのＰＣＭＡＸ，ｃの下限および上限である。
【００８７】
他の実施の形態では、図１２に示されるように、１４−ＯＳ  ＴＴＩ（１ｍｓ  ＴＴＩ）のためのスロットベースのＰＣＭＡＸが使用されてもよく、より短いＴＴＩと比較されてもよい。
【００８８】
図１３は、２つの異なるＴＴＩパターンが任意のキャリアアグリゲーションの組み合わせで使用される場合のＰＣＭＡＸ定義を示す。具体的には、図１３は１４−ＯＳおよび７−ＯＳＴＴＩパターンが使用される場合のＰＣＭＡＸ定義を示す。スロットベースでの比較は、レガシーＴＴＩパターンから示される。
【００８９】
図示のように、ＰＣＭＡＸ＿Ｌは、以下のように定義することができる：
2019536350.tif 000015
【００９０】
同様に、ＰＣＭＡＸ＿Ｈは、以下のように定義することができる：
2019536350.tif 000016
上記の式の両方において、ＰＣＭＡＸ＿Ｌ，ａ（ｂ，ｃ）およびＰＣＭＡＸ＿Ｈ，ａ（ｂ，ｃ）は、第１セルのサブフレームｂおよびスロットｃにおけるＣＧａについてのより低いおよびより高いＰＣＭＡＸを示す。
【００９１】
図１４は、２つの異なるＴＴＩパターンが任意のキャリアアグリゲーションの組み合わせで使用される場合のＰＣＭＡＸ定義を示す。具体的には、ＰＣＭＡＸ定義は４−ＯＳおよび１４−ＯＳ  ＴＴＩパターンが使用される場合に示される。
【００９２】
図１２に示されるのと同じ論理に従い、および後述のＰＣＭＡＸ定義の定式化に従い、上記の例について以下を定義することができる：
2019536350.tif 000017
別の代替例は、図１５に示されるように、１４−ＯＳ  ＴＴＩ（１ｍｓ  ＴＴＩ）のスロットベースのＰＣＭＡＸを使用し、それをより短いＴＴＩと比較することであってもよく、図１５は、２つの異なるＴＴＩパターンが任意のキャリアアグリゲーションの組み合せで使用される場合のＰＣＭＡＸ定義を示す。具体的には、ＰＣＭＡＸ定義は、１４−ＯＳおよび７−ＯＳ  ＴＴＩパターンについて、レガシーＴＴＩパターンからのスロットベースでの比較を伴って定義される。
【００９３】
見られるように、ＰＣＭＡＸ＿Ｌは、以下のように定義することができる：
2019536350.tif 000018
同様に、ＰＣＭＡＸ＿Ｈは、以下のように定義することができる：
2019536350.tif 000019
【００９４】
上記の例は、任意のキャリアアグリゲーションオペレーションにおけるキャリア間の他のＴＴＩの組み合わせについても拡張することができる。
【００９５】
いくつかの例では、異なるウインドウ（Ｔｗ）または参照時間は、ＰＣＭＡＸ推定のために使用されてもよく、次いで、比較されてもよい。例えば、ＰＣＭＡＸ，ＰＣＭＡＸ＿Ｌ，および／またはＰＣＭＡＸ＿Ｈ推定は、ＴＴＩ１およびＴＴＩ２（または別の参照ＴＴＩ）に基づいてもよく、無線デバイスの出力電力を決定する際に使用するためのＰＣＭＡＸ、ＰＣＭＡＸ＿Ｌ、および／またはＰＣＭＡＸ＿Ｈを決定するために比較されてもよい。
【００９６】
図１６は、任意のキャリアアグリゲーションの組み合せで使用される２つの異なるＴＴＩパターンの例を示し、この場合、１４−ＯＳ（１ｍｓ）パターンおよび２−ＯＳ  ｓＴＴＩパターンを有する。比較は、レガシーＴＴＩパターンにおいて定義されるようなスロット３５０（７つのＯＦＤＭシンボル）におけるｓＴＴＩのグループに基づいてもよい。したがって、この例では、２つのスロット３５０が示されている。この例では、１ｍｓ  ＴＴＩのウインドウ（Ｔｗ）はスロット３５０であってもよい。
【００９７】
最大出力電力パラメータＰＣＭＡＸ、ＰＣＭＡＸ＿Ｌ、および／またはＰＣＭＡＸ＿Ｈは、任意選択で異なるウインドウ（Ｔｗ）を使用して、異なるＴＴＩについて計算され、使用されるべきＰＣＭＡＸ、ＰＣＭＡＸ＿Ｌ、および／またはＰＣＭＡＸ＿Ｈを決定するために比較されてもよい。いくつかの例では、異なるＴＴＩが異なるキャリア上で使用される。異なるＴＴＩ（すなわち、ＴＴＩインスタンス）は、異なる長さであってもよく、および／または同じ長さの連続するＴＴＩであってもよい。例えば、ＴＴＩのグループから推定されたＰＣＭＡＸ、ＰＣＭＡＸ＿Ｌ、および／またはＰＣＭＡＸ＿Ｈのうちの最小の１つが選択される。この例では、ＴＴＩのグループは、ウインドウ（Ｔｗ）に対応しても対応しなくてもよい期間３５０に少なくとも部分的に存在するＴＴＩである。例えば、グループは、スロット３５０の長さ（すなわち、期間）にわたって推定される１ｍｓのＴＴＩと、その同じ期間、例えば、スロット３５０におけるｓＴＴＩ、すなわち、ＴＴＩ（ｎ）、ＴＴＩ（ｎ＋１）およびＴＴＩ（ｎ＋２）と、を含む。
【００９８】
図１６の構成の場合、設定最大出力電力ＰＣＭＡＸの合計は、以下の範囲内に設定されるものとする：
2019536350.tif 000020
ここで、
2019536350.tif 000021
この例では、ＴＴＩ（ｍ，ｓ０）はスロット＃０内の１ｍｓのＴＴＩを指し、それについて、ＰＣＭＡＸ＿ＬまたはＰＣＭＡＸ＿Ｈはセル／キャリア１内にある。ＰＣＭＡＸの値は、ＴＴＩ（ｎ）、ＴＴＩ（ｎ＋１）およびＴＴＩ（ｎ＋２）についても推定される。
【００９９】
この例では、上述のＰＣＭＡＸは、参照ＴＴＩに、すなわち、セル１におけるＴＴＩ（ｎ，ｓ０）（すなわち、スロット＃０）およびセル２におけるＴＴＩ（ｎ）、ＴＴＩ（ｎ＋１）およびＴＴＩ（ｎ＋２）に適用される。ＰＣＭＡＸ＿Ｌ，ａ（ｂ）およびＰＣＭＡＸ＿Ｈ，ａ（ｂ）は、それぞれ、ＴＴＩｂ上のセルａについてのＰＣＭＡＸ，ｃの下限および上限である。この例では、推定されたパラメータのグループのうちの最小の１つが選択される。推定は、同じ時間ウインドウおよび／または異なる時間ウインドウにわたって実行されてもよい。閾値ＰＰｏｗｅｒｅＣｌａｓは、選択されたパラメータの最小値を提供するために、任意選択でグループに含まれてもよい。
【０１００】
対応する定式化は、例えば、セル１上の１ｍｓ  ＴＴＩ（ｍ，ｓ１）およびセル２上のＴＴＩ（ｎ＋３）、ＴＴＩ（ｎ＋４）およびＴＴＩ（ｎ＋５）を参照しつつ、１ｍｓ  ＴＴＩのスロット＃１に適用される。
【０１０１】
パラメータは、無線デバイスによって決定され得る。任意選択で、上記のＰＣＭＡＸを定義するパラメータを示す情報は、ネットワークノードによって無線デバイスにシグナリングされてもよく、または、たとえば、ネットワークノードから受信される別の受信シグナリングまたは無線デバイス構成に基づいて無線デバイスによって決定されてもよい。
【０１０２】
図１１に戻ると、ステップ３０６において、無線デバイス１１０は、第１信号（Ｓ１）および第２信号（Ｓ２）をそれぞれ第１セル（ｃｅｌｌ１）および第２セル（ｃｅｌｌ２）に送信するために、ステップ３０４から決定された決定されたＴＴＩのために使用されるべき決定された最大出力電力を用いる。
【０１０３】
特定の実施の形態によれば、以下のセクションは、３ＧＰＰ  ＴＳ  ３６．１３３ｖ１４．１．０において修正されてもよい。新しい変更は、３ＧＰＰ  ＴＳ  ３６．１３３ｖ１４．１．０の以下のセクションで網掛けされている：
【０１０４】
６．２．５Ａ  ＣＡ用に設定された送信電力
アップリンクキャリアアグリゲーションの場合、ＵＥは、サービングセルｃについてのその設定最大出力電力ＰＣＭＡＸ，ｃおよびその設定最大出力電力ＰＣＭＡＸの合計を設定することが許可される。
サービングセルｃ上の設定最大出力電力ＰＣＭＡＸ，ｃは、サブクラス６．２．５で指定されるように設定される。
アップリンク帯域間キャリアアグリゲーションの場合、ＭＰＲｃおよびＡ−ＭＰＲｃは、サービングセルｃごとに適用され、それぞれ、サブクラス６．２．３およびサブクラス６．２．４で指定される。Ｐ−ＭＰＲｃは、サービングセルｃの電力管理を説明する。ＰＣＭＡＸ，ｃは、送信電力がすべてのコンポーネントキャリア上で独立して増大するという仮定の下で計算される。
アップリンク帯域内連続キャリアアグリゲーションおよび非連続キャリアアグリゲーションの場合、ＭＰＲｃ＝ＭＰＲおよびＡ−ＭＰＲｃ＝Ａ−ＭＰＲであり、ＭＰＲおよびＡ−ＭＰＲは、それぞれサブクラス６．２．３Ａおよびサブクラス６．２．４Ａで指定される。Ｐ−ＭＰＲで示される、ＵＥのための１つの電力管理事項があり、Ｐ−ＭＰＲｃ＝Ｐ−ＭＰＲである。ＰＣＭＡＸ，ｃは、送信電力がすべてのコンポーネントキャリア上で同じｄＢ量だけ増大するという仮定の下で計算される。
トータルの設定最大出力電力ＰＣＭＡＸは、以下の範囲内に設定される：
2019536350.tif 000022
動作帯域当たりひとつのサービングセルｃを伴うアップリンク帯域間キャリアアグリゲーションについて、
2019536350.tif 000023
ここで、
−  ｐＥＭＡＸ，ｃは、［７］においてサービングセルｃについてＩＥ  Ｐ−Ｍａｘによって与えられるＰＥＭＡＸ，ｃの線形値である；
−  ＰＰｏｗｅｒＣｌａｓｓは表６．２．２Ａ−１に規定された公差を考慮しないときの、表６．２．２Ａ−１に規定された最大ＵＥ電力である；ｐＰｏｗｅｒＣｌａｓｓは、ＰＰｏｗｅｒＣｌａｓｓの線形値である；
−  ｍｐｒｃおよびａ−ｍｐｒｃは、それぞれサブクローズ６．２．３およびサブクローズ６．２．４で規定されるＭＰＲｃおよびＡ−ＭＰＲｃの線形値である；
−  ｐｍｐｒｃは、Ｐ−ＭＰＲｃの線形値である；
−  ΔｔＣ，ｃは表６．２．２−１の注２がサービングセルｃに適用される場合のΔＴＣ，ｃｘΔｔＣ，ｃ＝１．４１の線形値であり、そうでない場合にはΔｔＣ，ｃ＝１である；
−  ΔｔＩＢ，ｃは、表６．２．５−２に規定されているサービングセルｃの帯域間緩和項ΔＴＩＢ，ｃの線形値である；  そうでなければ、ΔｔＩＢ，ｃ＝１である；
−  ΔｔＰｒｏＳｅはΔＴＰｒｏＳｅの線形値であり、サブクローズ６．２．５に規定されているように適用される。
アップリンク帯域内連続キャリアアグリゲーションおよび非連続キャリアアグリゲーションの場合、
2019536350.tif 000024
ここで、
−  ｐＥＭＡＸ，ｃは、［７］においてサービングセルｃについてＩＥ  Ｐ−Ｍａｘによって与えられるＰＥＭＡＸ，ｃの線形値である；
−  ＰＰｏｗｅｒＣｌａｓｓは表６．２．２Ａ−１に規定された公差を考慮しないときの、表６．２．２Ａ−１に規定された最大ＵＥ電力である；
−  ＭＰＲおよびＡ−ＭＰＲは、それぞれサブクローズ６．２．３Ａおよびサブクローズ６．２．４Ａに規定されている；
−  ΔＴＩＢ，ｃは、表６．２．５−２に規定されているようなサービングセルｃに対する追加の許容度である；
−  Ｐ−ＭＰＲは、ＵＥの電力管理項である；
−  ΔＴＣは、両方のタイムスロットにわたるサブフレーム内のすべてのサービングセルｃの中で最も高い値ΔＴＣ，ｃである。表６．２．２Ａ−１の注２がサービングセルｃに適用される場合はΔＴＣ，ｃ＝１．５ｄＢであり、そうでなければΔＴＣ，ｃ＝０ｄＢである；
−  ΔＴＰｒｏＳｅは、サブクローズ６．２．５に定めるとおり適用される。
三つのサービングセル（動作帯域当たり連続して集約されるキャリアは二つまで）上での送信のために構成されたＵＥでの、帯域内キャリアアグリゲーションおよび帯域間キャリアアグリゲーションの組み合わせについて、
2019536350.tif 000025
ここで、
−  ｐＥＭＡＸ，ｃは、［７］においてサービングセルｃについてＩＥ  Ｐ−Ｍａｘによって与えられるＰＥＭＡＸ，ｃの線形値である；
−  ＰＰｏｗｅｒＣｌａｓｓは表６．２．２Ａ−０に規定された公差を考慮しないときの、表６．２．２Ａ−０に規定された最大ＵＥ電力である；  ｐＰｏｗｅｒＣｌａｓｓはＰＰｏｗｅｒＣｌａｓｓの線形値である；
−  ｐＣＭＡＸ＿Ｌ，Ｂｉは、対応する動作帯域で指定されたＰＣＭＡＸ＿Ｌの線形値である。サブクローズ６．２．５のシングルキャリアについて指定されたＰＣＭＡＸ＿Ｌ，ｃは、１つのサービングセルをサポートする動作帯域に適用される。サブクローズ６．２．５Ａにおいてアップリンク帯域内連続キャリアアグリゲーション用に指定されたＰＣＭＡＸ＿Ｌは、２つの連続サービングセルをサポートする動作帯域に適用される。
ＴＲＥＦおよびＴｅｖａｌは表６．２．５−０Ａに示される値を有する。各ＴＲＥＦについて、ＰＣＭＡＸ＿ＬはＴｅｖａｌ毎に推定され、Ｔｅｖａｌ内の伝送のなかでの最小の値によって与えられ、ＴＲＥＦに亘る最小ＰＣＭＡＸ＿Ｌは次いで、ＴＲＥＦ全体に適用される。ＰＰｏｗｅｒＣｌａｓｓは、いかなる期間においても、ＵＥによって超過されてはならない。
2019536350.tif 000026
【０１０５】
いくつかの態様では、参照時間は参照期間（上記の表のＴＲＥＦ）、または独立して、上記の表の推定時間（Ｔｅｖａｌ）を指すことができる。いくつかの態様では、最大出力電力を決定することは最大出力電力パラメータを決定することを含む。参照時間が推定期間である場合、最大出力電力パラメータは参照期間ごとに（すなわち、推定時間Ｔ＿ｅｖａｌにわたって）推定される。参照時間は、第１時間リソースの長さおよび／または第２時間リソースの長さに基づく。いくつかの態様では、最大出力電力パラメータは第１時間リソースおよび／または第２時間リソースの長さに基づく参照期間（ＴＲＥＦ）に適用され得る。推定時間及び参照期間は、（上記の表に示されるように）同じであってもよいし、異なっていてもよい。
【０１０６】
ＵＥが複数のＴＡＧで構成され、かつ、１つのＴＡＧ内の任意のサービングセルのＴＲＥＦｉ上でのＵＥの送信が別のＴＡＧ内の異なるサービングセルのＴＲＥＦｉ＋１上での送信の第１シンボルのある部分と重複する場合、ＴＲＥＦｓｉおよびｉ＋１についてのＰＣＭＡＸ＿ＬのＵＥ最小値は、ＴＲＥＦｓｉおよびｉ＋１の任意の重複部分に適用される。ＰＰｏｗｅｒＣｌａｓｓは、いかなる期間においても、ＵＥによって超過されてはならない。
【０１０７】
すべてのサービングセルにわたる測定された最大出力電力ＰＵＭＡＸは、以下の範囲内でなければならない：
2019536350.tif 000027
ここで、ｐＵＭＡＸ，ｃは、線形スケールで表されるサービングセルｃの測定された最大出力電力を表す。ＰＣＭＡＸの適用可能な値の公差ＴＬＯＷ（ＰＣＭＡＸ）およびＴＨＩＧＨ（ＰＣＭＡＸ）はそれぞれ、帯域間キャリアアグリゲーションおよび帯域内キャリアアグリゲーションについての表６．２．５Ａ−１および表６．２．５Ａ−２に指定されている。公差ＴＬは、表６．２．２Ａ−０、表６．２．２Ａ−１および表６．２．２Ａ−２において帯域間キャリアアグリゲーション、帯域内連続キャリアアグリゲーション、および帯域内非連続キャリアアグリゲーションについてそれぞれ指定されている、適用可能なＥ−ＵＴＲＡ  ＣＡ設定のより小さい公差の絶対値である。
2019536350.tif 000028
【０１０８】
図１７は、特定の実施の形態による、無線デバイス１１０による、最大出力電力を導出するための例示的な方法４００を示す。方法はステップ４０２で始まり、そこでは、無線デバイス１１０が第１セルにおいて第１信号を第１キャリアで送信するための第１時間リソースを取得する。ステップ４０４で、無線デバイス１１０はまた、第２セルにおいて第２信号を第２キャリアで送信するための第２時間リソースを取得する。特定の実施の形態では、第１時間リソースは第１ＴＴＩであり、第２時間リソースは第２ＴＴＩである。第１時間リソースは第１ＴＴＩ長を有し、第２ＴＴＩは、第２ＴＴＩ長を有する。第１ＴＴＩ長は、同じであっても異なっていてもよい。特定の実施の形態では、第１ＴＴＩおよび第２ＴＴＩのうちの少なくとも１つは短いＴＴＩ、すなわち、１ｍｓ未満のものであってもよい。いくつかの態様では、第１ＴＴＩおよび第２ＴＴＩのうちの一方は短いＴＴＩ（例えば、２、３、４、または７シンボルｓＴＴＩ）であり、第１ＴＴＩおよび第２ＴＴＩのうちの他方は１ｍｓ（すなわち、１４シンボルＴＴＩ）である。別の例では、第１ＴＴＩおよび第２ＴＴＩは異なる長さの短いＴＴＩ、例えば、それぞれ２シンボルＴＴＩおよび７シンボルＴＴＩである。別の実施の形態では、第１時間リソースは第１ミニスロットと呼ばれ、第２時間リソースは第２ミニスロットである。対応する例は、この用語で適用される。
【０１０９】
ある実施の形態によれば、第１セルは、無線デバイス１１０のアップリンクサービングセルであり得る。特定の実施の形態では、例えば、アップリンクサービングセルはプライマリセルまたはセカンダリセルである。
【０１１０】
いくつかの実施の形態によれば、第１時間リソースおよび第２時間リソースのうちの少なくとも１つは、少なくとも１つの対応する特性に基づいて取得されてもよい。様々な特定の実施の形態では、例えば、少なくとも１つの特性は第１時間リソースと第１周波数帯域との間の関係、ネットワークノードから受信された設定、事前定義されたルール、およびブラインド検出のうちの１つまたは複数を含むことができる。
【０１１１】
ステップ４０６で、無線デバイス１１０は、第１時間リソースと第２時間リソースとに基づいて最大出力電力を決定する。ある実施の形態によると、最大出力電力を決定することは、第１時間リソースおよび第２時間リソースのうちの少なくともひとつに基づいて参照時間を決定することと、参照時間に基づいて最大出力電力を決定することと、を含んでもよい。特定の実施の形態では、参照時間は１つのスロット、１つのミニスロット、２ＯＳ、４ＯＳ、または７ＯＳであってもよい。特定の実施の形態では、参照時間は第１時間リソースおよび第２時間リソースのうちの少なくともひとつの長さの関数として決定されてもよい。例えば、参照時間は、第１時間リソースの長さと第２時間リソースの長さとの最小公倍数、第１時間リソースの長さおよび第２時間リソースの長さのうちの最も大きいもの、第１時間リソースの長さまたは第２時間リソースの長さの部分、第１時間リソースの長さまたは第２時間リソースの長さの半分、第１時間リソースの長さまたは第２時間リソースの長さの最も大きいものの一部、第１時間リソースの長さまたは第２時間リソースの長さの最も大きいものの半分、または第１時間リソースおよび第２時間リソースのうちの少なくともひとつ用に設定された値であってもよい。
【０１１２】
ある実施の形態によると、最大出力電力を決定することは、最大出力電力パラメータＰＣＭＡＸ＿Ｌを決定することを含んでもよく、参照時間は推定期間であり、最大出力電力パラメータは参照期間（Ｔ＿ｅｖａｌ）ごとに推定される。参照時間は、第１時間リソースの長さおよび／または第２時間リソースの長さに基づいてもよい。特定の実施の形態では、最大出力電力パラメータは、設定された最大出力電力の下限（ＰＣＭＡＸ＿Ｌ）であってもよい。
【０１１３】
特定の実施の形態では、参照時間は第１時間リソースおよび第２時間リソースの異なる値についての電力パラメータの複数の推定に基づいて決定されてもよい。例えば、参照時間は、複数の異なる長さの第１時間リソースおよび第２時間リソースの参照時間の比較を実行することによって決定されてもよい。特定の実施の形態では、電力パラメータの複数の推定の各々は参照時間と同じ期間（Ｔｅｖａｌ）内で推定されてもよい。別の実施の形態では、電力パラメータの複数の推定の各々は参照時間とは異なる期間（Ｔｅｖａｌ）内で実行されてもよい。したがって、特定の実施の形態によれば、参照時間および推定が実行される期間（Ｔｅｖａｌ）は、独立して決定されてもよく、同じであっても異なっていてもよいことが認識される。
【０１１４】
さらに他の実施の形態によれば、第１参照時間は第１時間リソースに基づいて決定されてもよく、第２参照時間は第２時間リソースに基づいて決定されてもよい。第１参照時間と第２参照時間とに基づいて最大出力電力が決定されてもよい。特定の実施の形態では、第１参照時間が第２参照時間とは異なってもよい。他の実施の形態では、第１参照時間が第２参照時間と同じであってもよい。
【０１１５】
ステップ４０８で、無線デバイス１１０は、決定された最大出力電力に基づいて、第１セルに第１信号を送信し、第２セルに第２信号を送信する。特定の実施の形態では、第１信号は、物理アップリンク制御チャネル（ＰＵＣＣＨ）、物理アップリンク共有チャネル（ＰＵＳＣＨ）、短物理アップリンク制御チャネル（ｓＰＵＣＣＨ）、または短物理アップリンク共有チャネル（ｓＰＵＳＣＨ）上で、第１セルに送信されてもよい。
【０１１６】
特定の実施の形態では、上述のように最大出力電力を導出する方法は仮想コンピューティングデバイスによって実行されてもよい。図１８は、特定の実施の形態による、最大出力電力を導出するための例示的な仮想計算デバイス４００を示す；いくつかの実施の形態では、仮想コンピューティングデバイス４００は図１１または図１７に示し説明した方法に関して上述したものと同様のステップを実行するためのモジュールを含むことができる。例えば、仮想コンピューティングデバイス４００は、少なくとも１つの取得モジュール４１０と、少なくとも１つの決定モジュール４２０と、少なくとも１つの送信モジュール４３０と、異なるＴＴＩパターンで最大出力電力を導出するための任意の他の適切なモジュールと、を含むことができる。いくつかの実施の形態では、モジュールのうちの１つまたは複数は図１０の１つまたは複数のプロセッサ２２０を使用して実装することができる。特定の実施の形態では、様々なモジュールのうちの２つ以上の機能は単一のモジュールに組み入れられてもよい。
【０１１７】
取得モジュール４１０は、仮想計算デバイス４００の取得機能を行ってもよい。例えば、特定の実施の形態では、取得モジュール４１０は、第１セルにおいて第１信号を第１キャリアで送信するための第１時間リソースを取得してもよい。加えて、取得モジュール４１０または他の取得モジュールはまた、第２セルにおいて第２信号を第２キャリアで送信するための第２時間リソースを取得してもよい。特定の実施の形態では、例えば、取得モジュール４１０は、第１キャリア上の第１セルと無線デバイス１１０との間の第１信号（Ｓ１）を動作させるために使用される第１ＴＴＩと、第２キャリア上の第２セルと無線デバイス１１０との間の第２信号（Ｓ２）を動作させるために使用される第２ＴＴＩと、を取得または決定してもよい。いくつかの実施の形態では、第１ＴＴＩの設定はネットワークノード１１５からメッセージを受信することによって実行され得る。特定の実施の形態では、例えば、メッセージはＲＲＣメッセージを含むことができる。例えば、特定の実施の形態では、
【０１１８】
決定モジュール４２０は、仮想計算デバイス４００の決定機能を行ってもよい。例えば、特定の実施の形態では、決定モジュール４２０は、第１時間基準及び第２時間基準の決定された値に基づいて最大出力電力パラメータ（Ｐ１）を決定してもよい。Ｐ１の推定は、それぞれ、そのサービングセル（第１セルおよび第２セル）において少なくとも信号を送信するために無線デバイス１１０によって使用される少なくとも第１時間基準および第２時間基準に依存する、ウインドウまたは持続時間（Ｔｗ）と称されてもよい、参照時間にわたって行われ得る。パラメータＴｗは、参照時間、参照ＴＴＩ長またはウインドウ、ＴＴＩ参照（ＴＴＩｒｅｆ）、Ｐｃｍａｘ参照時間、最大電力の推定期間などと呼ばれることもある。
【０１１９】
送信モジュール４３０は、仮想計算デバイス４００の送信機能を行ってもよい。例えば、特定の実施の形態では、送信モジュール４３０は、決定された最大出力電力パラメータ（ＰＩ）を使用して、第１信号（Ｓ１）および第２信号（Ｓ２）をそれぞれ第１セル（ｃｅｌｌ１）および第２セル（ｃｅｌｌ２）に送信することができる。
【０１２０】
仮想計算デバイス４００の他の実施の形態は、無線ノードの機能のある側面を提供することの責を負う、図１８に示されるものを超える追加的なコンポーネントを含んでもよく、そのような機能は上述の機能のいずれかおよび／または追加的な機能（上述の解をサポートするのに必要な機能を含む）を含む。種々の異なるタイプの無線デバイス１１０およびネットワークノード１１５は、同じ物理的なハードウエアを有するが異なる無線アクセス技術をサポートするよう（例えば、プログラミングを介して）構成されたコンポーネントを含んでもよく、または部分的にまたは完全に異なる物理的コンポーネントを表してもよい。
【０１２１】
図１９は、特定の実施の形態による、異なるＴＴＩパターンを伴う設定出力電力を導くための例示的なネットワークノード１１５を示す。上述のように、ネットワークノード１１５は、任意のタイプの無線ネットワークノード、または無線デバイスおよび／または別のネットワークノードと通信する任意のネットワークノードであってもよい。ネットワークノード１１５の例は、上記で提供される。
【０１２２】
ネットワークノード１１５は、同種配備、異種配備、または混合配備として、ネットワーク１００全体にわたって配備され得る。同種配備は一般に、同じ（または同様の）タイプのネットワークノード１１５、および／または同様のカバレッジおよびセルサイズ、ならびにサイト間距離から構成される配備を記述することができる。異種配備は一般に、異なるセルサイズ、送信電力、容量、およびサイト間距離を有する様々なタイプのネットワークノード１１５を使用する配備を記述することができる。例えば、異種配備は、マクロセルレイアウト全体にわたって配置された複数の低電力ノードを含むことができる。混合配備は、同種部分と異種部分との混合を含むことができる。
【０１２３】
ネットワークノード１１５は、トランシーバ５１０、プロセッサ５２０、メモリ５３０、およびネットワークインタフェース５４０のうちの１つまたは複数を含むことができる。ある実施の形態では、トランシーバ５１０は、無線デバイス１１０へ（例えば、アンテナを介して）無線信号を送信することおよび無線デバイス１１０から（例えば、アンテナを介して）無線信号を受信することを促進し、プロセッサ５２０はインストラクションを実行することでネットワークノード１１５によって提供されるものとして上述されている機能のいくつかまたは全てを提供し、メモリ５３０はプロセッサ５２０によって実行されるインストラクションを保持し、ネットワークインタフェース５４０は、ゲートウエイ、スイッチ、ルータ、インターネット、公衆電話交換網（ＰＳＴＮ）、コアネットワークノードまたは無線ネットワークノード等に信号を伝送する。
【０１２４】
いくつかの実施の形態では、ネットワークノード１１５はマルチアンテナ技術を使用することができ、複数のアンテナを装備し、ＭＩＭＯ技術をサポートすることができる。１つまたは複数のアンテナは、制御可能な偏波を有することができる。言い換えれば、各要素は異なる偏光（例えば、交差偏光におけるような９０度の分離）を伴う２つの共存サブ要素を有してもよく、その結果、ビームフォーミング重みの異なる集合は、放射された波に異なる偏光を与える。
【０１２５】
プロセッサ５２０は、インストラクションを実行しデータを操作することでネットワークノード１１５の説明される機能のうちのいくつかまたは全てを行うために、ひとつ以上のモジュールで実装されるハードウエアおよびソフトウエアの任意の適切な組み合わせを含んでもよい。ある実施の形態では、プロセッサ５２０は、例えば、ひとつ以上のコンピュータ、ひとつ以上の中央演算ユニット（ＣＰＵ）、ひとつ以上のマイクロプロセッサ、ひとつ以上のアプリケーション、および／または他のロジック、を含んでもよい。
【０１２６】
メモリ５３０は一般に、コンピュータプログラム、ソフトウエア、論理や規則やアルゴリズムやコードやテーブルなどのうちの１つまたは複数を含むアプリケーション、および／またはプロセッサによって実行可能な他のインストラクションなどのインストラクションを保持するように動作可能である。メモリ５３０の例は、コンピュータメモリ（例えば、ランダムアクセスメモリ（ＲＡＭ）やリードオンリメモリ（ＲＯＭ））、大容量ストレージ媒体（例えば、ハードディスク）、リムーバブルストレージ媒体（例えば、コンパクトディスク（ＣＤ）やデジタルビデオディスク（ＤＶＤ））、および／または情報を保持する任意の他の揮発性または不揮発性、非一時的コンピュータ可読および／またはコンピュータ実行可能メモリデバイスを含む。
【０１２７】
ある実施の形態では、ネットワークインタフェース５４０はプロセッサ５２０に通信可能に結合され、ネットワークノード１１５への入力を受信し、ネットワークノード１１５からの出力を送信し、そのような入力または出力もしくはその両方の適切な処理を実行し、他のデバイスと通信し、またはそれらの任意の組み合わせを行うよう動作する任意の適切なデバイスを指してもよい。ネットワークインタフェース５４０は、ネットワークを通じて通信するための、適切なハードウエア（例えば、ポート、モデム、ネットワークインタフェースカードなど）とソフトウエア（プロトコル変換およびデータ処理能力を含む）とを含んでもよい。
【０１２８】
ネットワークノード１１５の他の実施の形態は、無線ネットワークノードの機能のある側面を提供することの責を負う、図１９に示されるものを超える追加的なコンポーネントを含んでもよく、そのような機能は上述の機能のいずれかおよび／または追加的な機能（上述の解をサポートするのに必要な機能を含む）を含む。種々の異なるタイプのネットワークノードは、同じ物理的なハードウエアを有するが異なる無線アクセス技術をサポートするよう（例えば、プログラミングを介して）構成されたコンポーネントを含んでもよく、または部分的にまたは完全に異なる物理的コンポーネントを表してもよい。
【０１２９】
図２０は、特定の実施の形態による、ネットワークノード１１５による、異なる時間リソースで最大出力電力を導出するための例示的な方法６００を示す。この方法はステップ６０２で始まり、そこでは、ネットワークノード１１５は第１キャリア（Ｆ１）上の第１セル（ｃｅｌｌ１）と無線デバイス１１０との間の第１信号（Ｓ１）を動作させるために使用される第１ＴＴＩ（ＴＴＩ１）と、第２セル（ｃｅｌｌ２）と無線デバイス１１０との間の、第２キャリア（Ｆ２）上の第２信号（Ｓ２）を動作させるために使用される第２ＴＴＩ（ＴＴＩ２）と、で無線デバイス１１０を設定する。
【０１３０】
いくつかの実施の形態では、ネットワークノード１１５はまた、無線デバイス１１０の対応する複数のサービングセルのための複数のＴＴＩで無線デバイス１１０を設定してもよい。実施の形態は、無線デバイス１１０の任意の数の対応するサービングセル用に構成された任意の数のＴＴＩに適用可能である。
【０１３１】
第１ＴＴＩおよび第２ＴＴＩの設定は、無線デバイス１１０にメッセージを送信することによって実行され得る。例えば、第１ＴＴＩおよび第２ＴＴＩは、ＲＲＣメッセージで送信され得る。第１ＴＴＩおよび第２ＴＴＩの設定は、同じまたは異なるメッセージを介して実行され得る。
【０１３２】
設定の前に、ネットワークノード１１５は、第１ＴＴＩおよび第２ＴＴＩの値、または第１ＴＴＩおよび第２ＴＴＩを設定する必要性を決定することができる。例えば、ネットワークノード１１５は、第１ＴＴＩおよび第２ＴＴＩの特定の値を決定することができる。ネットワークノード１１５は例えば、以下の原則のうちの１つまたは複数に基づいて、第１ＴＴＩおよび第２ＴＴＩの値を決定することができる：
●ＵＥは各サービングセル上で２つ以上の異なるＴＴＩ、例えば、ＴＴＩ＝１ｍｓおよびＴＴＩ＝０．１４ｍｓ、をサポートするか否かというＵＥの能力。
●各サービングセル、例えば、第１セルおよび第２セル上で必要とされるＵＥビットレート。
●無線デバイス１１０とネットワークノード１１５との間、または無線デバイス間でデータパケットを運ぶために必要とされる往復時間（ＲＴＴ）、例えば、より短いＲＴＴが必要とされる場合には、より短いＴＴＩが使用される。
●サービングセルに対する無線デバイスの位置。例えば、無線デバイス１１０がサービングセルに近い場合、例えば、無線デバイス１１０が第１セル（ｃｅｌｌ１）を担当するネットワークノードに近い場合、より短いＴＴＩが使用される。
【０１３３】
ステップ６０４において、ネットワークノード１１５は、第１ＴＴＩおよび第２ＴＴＩの設定された値に基づいて、ＵＥ最大出力電力パラメータ（Ｐ１）を決定する。パラメータＰ１は第１セルおよび第２セルにおいてＵＬ信号を送信するために、無線デバイス１１０によって使用される。
【０１３４】
いくつかの実施の形態では、ネットワークノード１１５は、ＴＴＩと最大出力電力パラメータとの間の関係またはマッピングに基づいて、Ｐ１の値を決定することができる。マッピングは、無線デバイス１１０のサービングセルの対応する２つの集合に対するＴＴＩの少なくとも２つの集合と、最大出力電力を推定するための推定期間（Ｐｃｍａｘウインドウまたは基準ウインドウとしても知られる）の対応する値と、を含み得る。ネットワークノード１１５は、無線デバイス１１０の方法に関して上述したのと同じ原理を使用して、Ｐ１の値を決定することができる。
【０１３５】
ステップ６０６において、ネットワークノード１１５は第１セル内の無線デバイス１１０から、設定された第１ＴＴＩを介して第１信号（Ｓ１）を受信し、および／または第２セル内の無線デバイスから、設定された第２ＴＴＩを介して第２信号（Ｓ２）を受信し、無線デバイス１１０の送信電力は第１セルおよび第２セルにおけるＰ１の決定された値を超えない。。
【０１３６】
ある実施の形態では、ネットワークノード１１５は、決定されたＰ１の値に基づいて、その受信器構成をさらに適応させることができる。例えば、第１セルに信号を送信するために無線デバイス１１０によって使用されるＰ１が閾値（例えば、３００μｓ）よりも小さい時間ウインドウにわたって無線デバイス１１０によって推定される場合、ネットワークノード１１５は第１信号（Ｓ１）を受信するために、よりロバストな受信器を使用することができる。しかしながら、第１セルに信号を送信するために無線デバイス１１０によって使用されるＰ１の値が閾値（例えば、３００μｓ）よりも小さくない時間ウインドウにわたって無線デバイス１１０によって推定される場合、ネットワークノード１１５は第１信号（Ｓ１）を受信するために、よりロバストでない受信器を使用することができる。よりロバストな受信器は、よりロバストでない受信器と比較して、より効果的に干渉を緩和することができる。しかしながら、よりロバストな受信器は後者の受信器タイプと比較して、より多くの電力を消費し、より多くの処理および複雑な動作を必要とし得る。
【０１３７】
特定の実施の形態では、受信器タイプの適応は、ネットワークノード１１５がＵＥカバレッジを強化することを可能にする。
【０１３８】
ある実施の形態では、任意選択で、ネットワークノード１１５は１つまたは複数の動作タスクを実行するために、ステップ６０４で決定された決定されたＵＥ最大出力電力値、および／または無線デバイス１１０によってウインドウ（Ｔｗ）に亘ってＰ１の値が推定されるときのそのウインドウ（Ｔｗ）も、使用することができる。タスクの例は以下の通りである：
●ネットワークノードにおいて無線測定を実行することと、
●セル１および／またはセル２においてＤＬでおよび／またはＵでＵＥのＴＴＩを適応させることと、
●異なる時間リソースにおいてセル１および／またはセル２においてＵＥのＴＴＩを適応させることと、
●セル１および／またはセル２におけるＵＥの電力制御動作、
●Ｐ１および／またはＴｗの決定された値に関する情報を他のノードに送信すること。
【０１３９】
図２１は、ある実施の形態による、キャリアアグリゲーションにおいて異なるＴＴＩパターンを伴う設定出力電力を導出するための、ネットワークノード１１５による例示的な方法６００を示す。方法はステップ７０２で始まり、そこでは、ネットワークノード１１５が無線デバイス１１０を、第１セルにおいて第１信号を第１キャリアで送信するための第１時間リソースで設定する。ステップ７０４で、ネットワークノード１１５はまた、無線デバイスを、第２セルにおいて第２信号を第２キャリアで送信するための第２時間リソースで設定する。特定の実施の形態では、第１時間リソースは第１送信時間間隔（ＴＴＩ）を含んでもよく、第２時間リソースは第２ＴＴＩを含んでもよい。別の実施の形態では、第１時間リソースは第１ミニスロットを含んでもよく、第２時間リソースは第２ミニスロットを含む。
【０１４０】
ステップ７０６で、ネットワークノード１１５は、第１時間リソースと第２時間リソースとに基づいて最大出力電力を決定する。ある実施の形態によると、例えば、ネットワークノード１１５は、第１時間リソースおよび第２時間リソースのうちの少なくともひとつに基づいて参照時間を決定し、参照時間に基づいて最大出力電力を決定してもよい。特定の実施の形態では、参照時間は第１時間リソースおよび第２時間リソースのうちの少なくともひとつの長さの関数として決定されてもよい。例として、参照時間は、第１時間リソースの長さと第２時間リソースの長さとの最小公倍数、第１時間リソースの長さおよび第２時間リソースの長さのうちの最も大きいもの、第１時間リソースの長さまたは第２時間リソースの長さの部分、第１時間リソースの長さまたは第２時間リソースの長さの半分、第１時間リソースの長さまたは第２時間リソースの長さの最も大きいものの一部、第１時間リソースの長さまたは第２時間リソースの長さの最も大きいものの半分、または第１時間リソースおよび第２時間リソースのうちの少なくともひとつ用に設定された値であってもよい。
【０１４１】
ステップ７０８で、ネットワークノード１１５は、最大出力電力に基づいて、第１セル上での第１信号および第２セル上での第２信号のうちの少なくともひとつを受信する。
【０１４２】
ある実施の形態によれば、ネットワークノード１１５は、最大出力電力に基づいて１つまたは複数の動作をさらに実行することができる。例えば、ネットワークノード１１５は、最大出力電力に基づいて、第１セルにおける第１信号および第２セルにおける第２信号のうちの少なくともひとつを受信してもよい。他の特定の実施の形態では、例えば、ネットワークノード１１５は、第１セルにおける第１信号および第２セルにおける第２信号のうちの少なくともひとつのアップリンクスケジューリングを適合させてもよい。他の実施の形態では、ネットワークノード１１５は、最大出力電力に基づいて以下の動作のうちの任意のひとつ以上を行ってもよい：第１セルのアップリンクまたはダウンリンクにおける無線デバイスの第１時間リソースを適合させること、第２セルのアップリンクまたはダウンリンクにおける無線デバイスの第２時間リソースを適合させること、第１セルおよび第２セルのうちの少なくともひとつにおいて、無線デバイスの電力制御動作を行うこと、最大出力電力の決定された値についての情報を、他のネットワークノードに送信すること、第１時間リソースおよび第２時間リソースのうちの少なくともひとつに基づいて決定された参照時間についての情報を、他のネットワークノードに送信すること。
【０１４３】
特定の実施の形態では、上述のように最大出力電力を導出する方法は仮想コンピューティングデバイスによって実行されてもよい。図２２は、特定の実施の形態による、最大出力電力を導出するための例示的な仮想計算デバイス８００を示す；いくつかの実施の形態では、仮想コンピューティングデバイス８００は図２０または図２１に示し説明した方法に関して上述したものと同様のステップを実行するためのモジュールを含むことができる。例えば、仮想コンピューティングデバイス８００は、少なくとも１つの設定モジュール８１０と、少なくとも１つの決定モジュール８２０と、少なくとも１つの受信モジュール８３０と、異なるＴＴＩパターンで設定出力電力を導出するための任意の他の適切なモジュールと、を含むことができる。いくつかの実施の形態では、モジュールのうちの１つまたは複数は図１９の１つまたは複数のプロセッサ５２０を使用して実装することができる。特定の実施の形態では、様々なモジュールのうちの２つ以上の機能は単一のモジュールに組み入れられてもよい。
【０１４４】
設定モジュール８１０は、仮想計算デバイス８００の設定機能を行ってもよい。例えば、特定の実施の形態では、設定モジュール８１０は、無線デバイス８１０を、第１セルにおいて第１信号を第１キャリアで送信するための第１時間リソースで設定してもよい。加えて、設定モジュール８１０または他の設定モジュールは、無線デバイス８１０を、第２セルにおいて第２信号を第２キャリアで送信するための第２時間リソースで設定してもよい。例えば、設定モジュール８１０は第１キャリア（Ｆ１）上の第１セル（ｃｅｌｌ１）と無線デバイス１１０との間の第１信号（Ｓ１）を動作させるために使用される第１ＴＴＩ（ＴＴＩ１）と、第２セル（ｃｅｌｌ２）と無線デバイス１１０との間の、第２キャリア（Ｆ２）上の第２信号（Ｓ２）を動作させるために使用される第２ＴＴＩ（ＴＴＩ２）と、で無線デバイス１１０を設定してもよい。
【０１４５】
いくつかの実施の形態では、設定モジュール７１０はまた、無線デバイス１１０の対応する複数のサービングセルのための複数のＴＴＩで無線デバイス１１０を設定してもよい。実施の形態は、無線デバイス１１０の任意の数の対応するサービングセル用に構成された任意の数のＴＴＩに適用可能である。
【０１４６】
決定モジュール７２０は、仮想計算デバイス７００の決定機能を行ってもよい。例えば、特定の実施の形態では、決定モジュール７２０は、第１時間リソース及び第２リソースの設定された値に基づいてＵＥ最大出力電力パラメータ（Ｐ１）を決定してもよい。パラメータＰ１は第１セルおよび第２セルにおいてＵＬ信号を送信するために、無線デバイス１１０によって使用される。
【０１４７】
いくつかの実施の形態では、決定モジュール７２０は、ＴＴＩと最大出力電力パラメータとの間の関係またはマッピングに基づいて、Ｐ１の値を決定することができる。マッピングは、無線デバイス１１０のサービングセルの対応する２つの集合に対するＴＴＩの少なくとも２つの集合と、最大出力電力を推定するための推定期間（Ｐｃｍａｘウインドウまたは基準ウインドウとしても知られる）の対応する値と、を含み得る。ネットワークノード１１５は、無線デバイス１１０の方法に関して上述したのと同じ原理を使用して、Ｐ１の値を決定することができる。
【０１４８】
受信モジュール８３０は、仮想計算デバイス８００の受信機能を行ってもよい。例えば、特定の実施の形態では、受信モジュール８３０は、第１セル内の無線デバイス１１０から、設定された第１時間リソースを介して第１信号（Ｓ１）を受信し、および／または第２セル内の無線デバイスから、設定された第２時間リソースを介して第２信号（Ｓ２）を受信し、無線デバイス１１０の送信電力は第１セルおよび第２セルにおけるＰ１の決定された値を超えない。
【０１４９】
仮想計算デバイス７００の他の実施の形態は、無線ノードの機能のある側面を提供することの責を負う、図２０に示されるものを超える追加的なコンポーネントを含んでもよく、そのような機能は上述の機能のいずれかおよび／または追加的な機能（上述の解をサポートするのに必要な機能を含む）を含む。種々の異なるタイプの無線デバイス１１０およびネットワークノード１１５は、同じ物理的なハードウエアを有するが異なる無線アクセス技術をサポートするよう（例えば、プログラミングを介して）構成されたコンポーネントを含んでもよく、または部分的にまたは完全に異なる物理的コンポーネントを表してもよい。
【０１５０】
ある実施の形態によれば、キャリアアグリゲーションのための異なるＴＴＩパターンを伴う設定出力電力を導出するための無線デバイスによる方法が提供される。この方法は以下を含む：
●（１）第１キャリア上の第１セルと無線デバイスとの間の第１信号を動作させるために使用される第１ＴＴＩと、（２）第２キャリア上の第２セルと無線デバイスとの間の第２信号を動作させるために使用される第２ＴＴＩと、を取得または決定することと；
●第１ＴＴＩの決定された値と第２ＴＴＩの決定された値とに基づいて最大出力電力パラメータを決定することと；
●決定された最大出力電力パラメータに基づいて、第１セルに第１信号を送信し、第２セルに第２信号を送信することと、
●任意選択で、第１セルは、無線デバイスのサービングセルを備えることと；
●任意選択で、サービングセルはプライマリセルを含む；
●任意選択で、サービングセルは、セカンダリセルを含む；
●任意選択で、第１セルは、アップリンク（ＵＬ）サービングセルを備える；
●任意選択で、第１信号を動作させることは、第１セルから無線デバイスによって１つまたは複数の信号を受信することを含み、第１信号はＰＤＣＣＨ、ＰＤＳＣＨ、ｓＰＤＣＣＨ、またはｓＰＤＳＣＨ上で受信され得る；
●任意選択で、第１信号を動作させることは、第１セル上で無線デバイスによって１つまたは複数の信号を送信することを含み、第１信号はＰＵＣＣＨ、ＰＵＳＣＨ、ｓＰＵＣＣＨ、またはｓＰＵＳＣＨ上で送信され得る。
●任意選択で、第１信号を動作させることは、無線デバイスによって１つまたは複数の信号を第１セルに送信することを含む；
●任意選択で、第１ＴＴＩは、以下からなるグループから選択される少なくとも１つの特性に基づいて取得または決定されてもよい：
■第１ＴＴＩと第１周波数帯域との間の関係などの所定の情報；
■ネットワークノードから受信した設定；
■事前に定義されたルール；
■ブラインド検出；
●任意選択で、参照時間またはウインドウ（Ｔｗ、ＴＴＩＲＥＦ）は、最大出力電力パラメータを決定するために使用される。ウインドウは、ＴＴＩ長のうちの１つまたは複数に基づくか、またはそれらの関数とすることができる。任意選択で、ウインドウは、任意選択でＴＴＩ長にしたがうことができる、ＴＴＩ長の最小公倍数、ＴＴＩ長の最大値、ＴＴＩ長の１つの一部、ＴＴＩ長の１つの半分、ＴＴＩ長の最大値の一部（例えば、半分）、または所定の値、例えば、７つのＯＦＤＭシンボル、のうちの１つとして決定または取得される長さを有する。
●任意選択で、最大出力電力を設定するためのパラメータは、異なるＴＴＩインスタンスに対するパラメータの複数の推定に基づく。例えば、パラメータは、複数の異なるＴＴＩ長に対するパラメータの比較、および／または複数の異なるＴＴＩに対するパラメータの比較に基づく。任意選択で、比較されるパラメータは、参照時間と同じであっても異なっていてもよい期間内に推定される。任意選択で、推定されるパラメータは、１つまたは複数のキャリア／セル上のＴＴＩに関するものである。参照時間は、推定されたＴＴＩについて異なっていてもよい。任意選択で、参照時間は１スロットである。任意選択で、パラメータは、各参照時間において別々に推定されてもよい。任意選択で、推定されたパラメータのうちの最小の１つが選択される。
【０１５１】
ある実施の形態によれば、キャリアアグリゲーションのための異なるＴＴＩパターンを伴う設定出力電力を導出するための無線デバイスが提供され、この無線デバイスは、インストラクションを保持するメモリと、該インストラクションを実行することによってプロセッサに以下のことを行わせるように構成されたプロセッサとを含む：
●（１）第１キャリア上の第１セルと無線デバイスとの間の第１信号を動作させるために使用される第１ＴＴＩと、（２）第２キャリア上の第２セルと無線デバイスとの間の第２信号を動作させるために使用される第２ＴＴＩと、を取得または決定することと；
●第１ＴＴＩの決定された値と第２ＴＴＩの決定された値とに基づいて最大出力電力パラメータを決定することと；
●決定された最大出力電力パラメータに基づいて、第１セルに第１信号を送信し、第２セルに第２信号を送信することと、
●任意選択で、第１セルは、無線デバイスのサービングセルを備えることと；
●任意選択で、サービングセルはプライマリセルを含む；
●任意選択で、サービングセルは、セカンダリセルを含む；
●任意選択で、第１セルは、アップリンク（ＵＬ）サービングセルを備える；
●任意選択で、第１信号を動作させることは、第１セルから無線デバイスによって１つまたは複数の信号を受信することを含み、第１信号はＰＤＣＣＨ、ＰＤＳＣＨ、ｓＰＤＣＣＨ、またはｓＰＤＳＣＨ上で受信され得る；
●任意選択で、第１信号を動作させることは、第１セル上で無線デバイスによって１つまたは複数の信号を送信することを含み、第１信号はＰＵＣＣＨ、ＰＵＳＣＨ、ｓＰＵＣＣＨ、またはｓＰＵＳＣＨ上で送信され得る。
●任意選択で、第１信号を動作させることは、無線デバイスによって１つまたは複数の信号を第１セルに送信することを含む；
●任意選択で、第１ＴＴＩは、以下からなるグループから選択される少なくとも１つの特性に基づいて取得または決定されてもよい：
■第１ＴＴＩと第１周波数帯域との間の関係などの所定の情報；
■ネットワークノードから受信した設定；
■事前に定義されたルール；
■ブラインド検出；
●任意選択で、参照時間またはウインドウ（Ｔｗ、ＴＴＩＲＥＦ）は、最大出力電力パラメータを決定するために使用される。ウインドウは、ＴＴＩ長のうちの１つまたは複数に基づくか、またはそれらの関数とすることができる。任意選択で、ウインドウは、任意選択でＴＴＩ長にしたがうことができる、ＴＴＩ長の最小公倍数、ＴＴＩ長の最大値、ＴＴＩ長の１つの一部、ＴＴＩ長の１つの半分、ＴＴＩ長の最大値の一部（例えば、半分）、または所定の値、例えば、７つのＯＦＤＭシンボル、のうちの１つとして決定または取得される長さを有する。
●任意選択で、最大出力電力を設定するためのパラメータは、異なるＴＴＩインスタンスに対するパラメータの複数の推定に基づく。例えば、パラメータは、複数の異なるＴＴＩ長に対するパラメータの比較、および／または複数の異なるＴＴＩに対するパラメータの比較に基づく。任意選択で、比較されるパラメータは、参照時間と同じであっても異なっていてもよい期間内に推定される。任意選択で、推定されるパラメータは、１つまたは複数のキャリア／セル上のＴＴＩに関するものである。参照時間は、推定されたＴＴＩについて異なっていてもよい。任意選択で、参照時間は１スロットである。任意選択で、パラメータは、各参照時間において別々に推定されてもよい。任意選択で、推定されたパラメータのうちの最小の１つが選択される。
【０１５２】
ある実施の形態によれば、キャリアアグリゲーションのための異なるＴＴＩパターンを伴う設定出力電力を導出するための、ネットワークデバイスによる方法が提供される。この方法は以下を含む：
●（１）第１キャリア上の第１セルと無線デバイスとの間の第１信号を動作させるために使用される第１ＴＴＩと、（２）第２キャリア上の第２セルと無線デバイスとの間の第２信号を動作させるために使用される第２ＴＴＩと、で無線デバイスを設定することと；
●第１ＴＴＩの設定された値と第２ＴＴＩの設定された値とに基づいて最大出力電力パラメータを決定することと；
●（１）決定された最大出力電力パラメータに基づいて無線デバイスから第１セルにおいて第１信号を受信すること、および／または（２）決定された最大出力電力パラメータに基づいて第２セルにおいて第２信号を受信することと；
●任意選択で、方法は、対応する複数のサービングセルのための複数のＴＴＩで無線デバイスを設定することをさらに含む；
●任意選択で、方法は、ＲＲＣメッセージを含むメッセージを無線デバイスに送信することをさらに含む；
●任意選択で、方法は、第１ＴＴＩを含む第１メッセージと、第２ＴＴＩを含む第２メッセージと、を無線デバイスに送信することをさらに含む；
●任意選択で、方法は、以下のうちの１つまたは複数に基づいて、第１ＴＴＩの第１の値および第２ＴＴＩの第２の値を決定することをさらに含む：
●無線デバイスが、各サービングセル上で２つ以上の異なるＴＴＩをサポートするか否か；
●各サービングセル上で要求されるＵＥビットレート
●無線デバイスとネットワークノードとの間でデータパケットを運ぶために必要な往復時間；
●サービングセルに対する無線デバイスの位置。
●方法は、任意選択で、受信信号および／または決定された最大出力電力パラメータを使用して、以下のタスクのうちの１つまたは複数を実行することを含む：
●ネットワークノードにおいて無線測定を実行することと、
●第１セルのＵＬおよび／またはＤＬにおける無線デバイスの第１ＴＴＩを適合させることと、
●異なる時間リソースで第１セルにおいて無線デバイスの第１ＴＴＩを適合させることと；
●第１セルにおいて、無線デバイスの電力制御動作を行うことと、
●決定された最大出力電力パラメータおよび送信ウインドウに関する情報を少なくとも１つのノードに送信することと；
●任意選択で、方法は、ＴＴＩと最大出力パラメータとの間の関係またはマッピングに基づいてＰ１の値を決定することを含む。
●任意選択で、方法は、最大出力電力パラメータを決定するために、参照時間またはウインドウ（Ｔｗ、ＴＴＩＲＥＦ）を使用することを含む。ウインドウは、ＴＴＩ長のうちの１つまたは複数に基づくか、またはそれらの関数とすることができる。任意選択で、ウインドウは、任意選択でＴＴＩ長にしたがうことができる、ＴＴＩ長の最小公倍数、ＴＴＩ長の最大値、ＴＴＩ長の１つの一部、ＴＴＩ長の１つの半分、ＴＴＩ長の最大値の一部（例えば、半分）、または所定の値、例えば、７つのＯＦＤＭシンボル、のうちの１つとして決定または取得される長さを有する。
●任意選択で、方法は、最大出力電力を設定するためのパラメータを、異なるＴＴＩインスタンスに対するパラメータの複数の推定に基づいて使用することを含む。例えば、パラメータは、複数の異なるＴＴＩ長に対するパラメータの比較、および／または複数の異なるＴＴＩに対するパラメータの比較に基づく。任意選択で、比較されるパラメータは、参照時間と同じであっても異なっていてもよい期間内に推定される。任意選択で、推定されるパラメータは、１つまたは複数のキャリア／セル上のＴＴＩに関するものである。参照時間は、推定されたＴＴＩについて異なっていてもよい。任意選択で、参照時間は１スロットである。任意選択で、パラメータは、各参照時間において別々に推定されてもよい。任意選択で、推定されたパラメータのうちの最小の１つが選択される。
【０１５３】
ある実施の形態によれば、キャリアアグリゲーションのために異なるＴＴＩパターンを伴う設定出力電力を導出するためのネットワークノードが提供される。ネットワークノードは、インストラクションを保持するメモリと、インストラクションを実行することによりプロセッサに以下のことを行わせるように構成されたプロセッサと、を含む：
●（１）第１キャリア上の第１セルと無線デバイスとの間の第１信号を動作させるために使用される第１ＴＴＩと、（２）第２キャリア上の第２セルと無線デバイスとの間の第２信号を動作させるために使用される第２ＴＴＩと、で無線デバイスを設定することと；
●第１ＴＴＩの設定された値と第２ＴＴＩの設定された値とに基づいて最大出力電力パラメータを決定することと；
●（１）決定された最大出力電力パラメータに基づいて無線デバイスから第１セルにおいて第１信号を受信すること、および／または（２）決定された最大出力電力パラメータに基づいて第２セルにおいて第２信号を受信することと；
●任意選択で、方法は、対応する複数のサービングセルのための複数のＴＴＩで無線デバイスを設定することをさらに含む；
●任意選択で、方法は、ＲＲＣメッセージを含むメッセージを無線デバイスに送信することをさらに含む；
●任意選択で、方法は、第１ＴＴＩを含む第１メッセージと、第２ＴＴＩを含む第２メッセージと、を無線デバイスに送信することをさらに含む；
●任意選択で、方法は、以下のうちの１つまたは複数に基づいて、第１ＴＴＩの第１の値および第２ＴＴＩの第２の値を決定することをさらに含む：
●無線デバイスが、各サービングセル上で２つ以上の異なるＴＴＩをサポートするか否か；
●各サービングセル上で要求されるＵＥビットレート
●無線デバイスとネットワークノードとの間でデータパケットを運ぶために必要な往復時間；
●サービングセルに対する無線デバイスの位置。
●方法は、任意選択で、受信信号および／または決定された最大出力電力パラメータを使用して、以下のタスクのうちの１つまたは複数を実行することを含む：
●ネットワークノードにおいて無線測定を実行することと、
●第１セルのＵＬおよび／またはＤＬにおける無線デバイスの第１ＴＴＩを適合させることと、
●異なる時間リソースで第１セルにおいて無線デバイスの第１ＴＴＩを適合させることと；
●第１セルにおいて、無線デバイスの電力制御動作を行うことと、
●決定された最大出力電力パラメータおよび送信ウインドウに関する情報を少なくとも１つのノードに送信することと；
●任意選択で、方法は、ＴＴＩと最大出力パラメータとの間の関係またはマッピングに基づいてＰ１の値を決定することを含む。
●任意選択で、方法は、最大出力電力パラメータを決定するために、参照時間またはウインドウ（Ｔｗ、ＴＴＩＲＥＦ）を使用することを含む。ウインドウは、ＴＴＩ長のうちの１つまたは複数に基づくか、またはそれらの関数とすることができる。任意選択で、ウインドウは、任意選択でＴＴＩ長にしたがうことができる、ＴＴＩ長の最小公倍数、ＴＴＩ長の最大値、ＴＴＩ長の１つの一部、ＴＴＩ長の１つの半分、ＴＴＩ長の最大値の一部（例えば、半分）、または所定の値、例えば、７つのＯＦＤＭシンボル、のうちの１つとして決定または取得される長さを有する。
●任意選択で、方法は、最大出力電力を設定するためのパラメータを、異なるＴＴＩインスタンスに対するパラメータの複数の推定に基づいて使用することを含む。例えば、パラメータは、複数の異なるＴＴＩ長に対するパラメータの比較、および／または複数の異なるＴＴＩに対するパラメータの比較に基づく。任意選択で、比較されるパラメータは、参照時間と同じであっても異なっていてもよい期間内に推定される。任意選択で、推定されるパラメータは、１つまたは複数のキャリア／セル上のＴＴＩに関するものである。参照時間は、推定されたＴＴＩについて異なっていてもよい。任意選択で、参照時間は１スロットである。任意選択で、パラメータは、各参照時間において別々に推定されてもよい。任意選択で、推定されたパラメータのうちの最小の１つが選択される。
【０１５４】
本開示のある実施の形態は、１つまたは複数の技術的利点を提供することができる。例えば、ある実施の形態は、設定送信電力に関して、明確に定義された無線デバイス挙動を提供することができる。別の例として、技術的利点は、異なる時間リソースにおいて同じセル内で異なるＴＴＩパターンが使用される場合に、設定送信電力に関する無線デバイス挙動が明確に定義されることであり得る。さらに別の例として、技術的利点は、無線デバイスがＴＴＩの機能として異なる最大電力を使用して信号を送信するときに、ネットワークノードが信号を受信し、処理し得ることであり得る。
【０１５５】
本開示の範囲から逸脱することなく、本明細書に開示されるシステムおよび装置に対する変更、追加または省略を行うことができる。システムおよび装置のコンポーネントは統合されてもよいし、分離されてもよい。さらに、システムおよび装置の動作はより多くの、より少ない、または他のコンポーネントによって行われてもよい。加えて、システムおよび装置の動作は、ソフトウエア、ハードウエアおよび／または他のロジックを含む任意の適切なロジックを用いて行われてもよい。本開示で用いられる場合、「各」は集合の各メンバ、または集合の部分集合の各メンバを指す。
【０１５６】
本開示の範囲から逸脱することなく、本明細書に記載される方法に対する変更、追加または省略を行うことができる。方法はより多くの、より少ない、または他のステップを含んでもよい。加えて、ステップは任意の適切な順序で行われてもよい。
【０１５７】
本開示を所定の実施の形態で説明したが、実施の形態の変更や置換は当業者には明らかであろう。したがって、実施の形態の上述の記載は本開示を制限するものではない。本開示の範囲から逸脱することなく、他の変形、代替および変更が可能である。
【図１】
2019536350.tif 000029
【図２】
2019536350.tif 000030
【図３】
2019536350.tif 000031
【図４】
2019536350.tif 000032
【図５Ａ】
2019536350.tif 000033
【図５Ｂ】
2019536350.tif 000034
【図５Ｃ】
2019536350.tif 000035
【図５Ｄ】
2019536350.tif 000036
【図６Ａ】
2019536350.tif 000037
【図６Ｂ】
2019536350.tif 000038
【図７】
2019536350.tif 000039
【図８Ａ】
2019536350.tif 000040
【図８Ｂ】
2019536350.tif 000041
【図８Ｃ】
2019536350.tif 000042
【図９】
2019536350.tif 000043
【図１０】
2019536350.tif 000044
【図１１】
2019536350.tif 000045
【図１２】
2019536350.tif 000046
【図１３】
2019536350.tif 000047
【図１４】
2019536350.tif 000048
【図１５】
2019536350.tif 000049
【図１６】
2019536350.tif 000050
【図１７】
2019536350.tif 000051
【図１８】
2019536350.tif 000052
【図１９】
2019536350.tif 000053
【図２０】
2019536350.tif 000054
【図２１】
2019536350.tif 000055
【図２２】
2019536350.tif 000056
【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
無線デバイス（１１０）による、最大出力電力を決定する方法であって、
前記無線デバイスが、第１セルにおいて第１信号を第１キャリアで送信するための第１時間リソースを取得することと、
前記無線デバイスが、第２セルにおいて第２信号を第２キャリアで送信するための第２時間リソースを取得することと、
前記第１時間リソースおよび前記第２時間リソースに基づいて、前記最大出力電力を決定することと、
決定された前記最大出力電力に基づいて、前記第１セルにおいて前記第１信号を送信し、前記第２セルにおいて前記第２信号を送信することと、を含む方法。
【請求項２】
前記第１時間リソースが第１送信時間間隔（ＴＴＩ）または第１ミニスロットを含み、
前記第２時間リソースが第２ＴＴＩまたは第２ミニスロットを含む請求項１に記載の方法。
【請求項３】
前記第１時間リソースおよび前記第２時間リソースのうちの少なくともひとつに基づいて参照時間を決定することと、
前記参照時間に基づいて前記最大出力電力を決定することと、をさらに含む請求項１または２に記載の方法。
【請求項４】
前記参照時間は前記第１時間リソースおよび前記第２時間リソースのうちの少なくともひとつの長さの関数として決定される請求項３に記載の方法。
【請求項５】
前記参照時間は、
前記第１時間リソースの長さと前記第２時間リソースの長さとの最小公倍数、
前記第１時間リソースの前記長さおよび前記第２時間リソースの前記長さのうちの最も大きいもの、
前記第１時間リソースの前記長さまたは前記第２時間リソースの前記長さの部分、
前記第１時間リソースの前記長さまたは前記第２時間リソースの前記長さの半分、
前記第１時間リソースの前記長さまたは前記第２時間リソースの前記長さの最も大きいものの一部、
前記第１時間リソースの前記長さまたは前記第２時間リソースの前記長さの最も大きいものの半分、または
前記第１時間リソースおよび前記第２時間リソースのうちの少なくともひとつ用に設定された値を含む請求項４に記載の方法。
【請求項６】
前記最大出力電力を決定することは、最大出力電力パラメータを決定することを含み、前記参照時間は推定期間であり、前記最大出力電力パラメータは参照期間（Ｔ＿ｅｖａｌ）ごとに推定され、前記参照時間は前記第１時間リソースおよび／または前記第２時間リソースの長さに基づく請求項３から５のいずれか一項に記載の方法。
【請求項７】
前記第１時間リソースに基づいて第１参照時間を決定することと、
前記第２時間リソースに基づいて第２参照時間を決定することと、
前記第１参照時間と前記第２参照時間とに基づいて前記最大出力電力を決定することと、をさらに含む請求項１または２に記載の方法。
【請求項８】
最大出力電力を決定する無線デバイス（１１０）であって、
インストラクションを保持するメモリ（２３０）と、
前記インストラクションを実行することによって前記無線デバイスに、
第１セルにおいて第１信号を第１キャリアで送信するための第１時間リソースを取得することと、
第２セルにおいて第２信号を第２キャリアで送信するための第２時間リソースを取得することと、
前記第１時間リソースおよび前記第２時間リソースに基づいて、前記最大出力電力を決定することと、
決定された前記最大出力電力に基づいて、前記第１セルに前記第１信号を送信し、前記第２セルに前記第２信号を送信することと、を行わせるよう構成されたプロセッサ（２２０）と、を備える無線デバイス。
【請求項９】
前記第１時間リソースが第１送信時間間隔（ＴＴＩ）または第１ミニスロットを含み、
前記第２時間リソースが第２ＴＴＩまたは第２ミニスロットを含む請求項８に記載の無線デバイス。
【請求項１０】
前記プロセッサは、前記インストラクションを実行することによって前記無線デバイスに、
前記第１時間リソースおよび前記第２時間リソースのうちの少なくともひとつに基づいて参照時間を決定することと、
前記参照時間に基づいて前記最大出力電力を決定することと、を行わせるよう構成される請求項８または９に記載の無線デバイス。
【請求項１１】
前記参照時間は前記第１時間リソースおよび前記第２時間リソースのうちの少なくともひとつの長さの関数として決定される請求項１０に記載の無線デバイス。
【請求項１２】
前記参照時間は
前記第１時間リソースの長さと前記第２時間リソースの長さとの最小公倍数、
前記第１時間リソースの前記長さおよび前記第２時間リソースの前記長さのうちの最も大きいもの、
前記第１時間リソースの前記長さまたは前記第２時間リソースの前記長さの部分、
前記第１時間リソースの前記長さまたは前記第２時間リソースの前記長さの半分、
前記第１時間リソースの前記長さまたは前記第２時間リソースの前記長さの最も大きいものの一部、
前記第１時間リソースの前記長さまたは前記第２時間リソースの前記長さの最も大きいものの半分、または
前記第１時間リソースおよび前記第２時間リソースのうちの少なくともひとつ用に設定された値を含む請求項１１に記載の無線デバイス。
【請求項１３】
前記最大出力電力を決定することは、最大出力電力パラメータＰＣＭＡＸ＿Ｌを決定することを含み、前記参照時間は推定期間であり、前記最大出力電力パラメータは参照期間（Ｔ＿ｅｖａｌ）ごとに推定され、前記参照時間は前記第１時間リソースおよび／または前記第２時間リソースの長さに基づく請求項１０に記載の無線デバイス。
【請求項１４】
前記プロセッサは、前記インストラクションを実行することによって前記無線デバイスに、
前記第１時間リソースに基づいて第１参照時間を決定することと、
前記第２時間リソースに基づいて第２参照時間を決定することと、
前記第１参照時間と前記第２参照時間とに基づいて前記最大出力電力を決定することと、を行わせるよう構成される請求項８または９に記載の無線デバイス。
【請求項１５】
ネットワークノード（１１５）による、最大出力電力を決定する方法であって、
無線デバイス（１１０）を、第１セルにおいて第１信号を第１キャリアで送信するための第１時間リソースで設定することと、
前記無線デバイスを、第２セルにおいて第２信号を第２キャリアで送信するための第２時間リソースで設定することと、
前記第１時間リソースと前記第２時間リソースとに基づいて最大出力電力を決定することと、
前記最大出力電力に基づいて、前記無線デバイスから、前記第１セル上での前記第１信号および前記第２セル上での前記第２信号のうちの少なくともひとつを受信することと、を含む方法。
【請求項１６】
前記最大送信電力に基づいて、
前記ネットワークノードが、少なくともひとつの無線測定を行うことと、
前記第１セルにおける前記第１信号および前記第２セルにおける前記第２信号のうちの少なくともひとつのアップリンクスケジューリングを適合させることと、
前記第１セルの前記アップリンクまたは前記ダウンリンクにおける前記無線デバイスの前記第１時間リソースを適合させることと、
前記第２セルの前記アップリンクまたは前記ダウンリンクにおける前記無線デバイスの前記第２時間リソースを適合させることと、
前記第１セルおよび前記第２セルのうちの少なくともひとつにおいて、前記無線デバイスの電力制御動作を行うことと、
前記最大出力電力の決定された値についての情報を、他のネットワークノードに送信することと、
前記第１時間リソースおよび前記第２時間リソースのうちの少なくともひとつに基づいて決定された参照時間についての情報を、他のネットワークノードに送信することと、のうちの少なくともひとつを行うことをさらに含む請求項１５に記載の方法。
【請求項１７】
前記第１時間リソースおよび前記第２時間リソースのうちの少なくともひとつに基づいて参照時間を決定することと、
前記参照時間に基づいて前記最大出力電力を決定することと、をさらに含む請求項１５または１６に記載の方法。
【請求項１８】
前記参照時間は前記第１時間リソースおよび前記第２時間リソースのうちの少なくともひとつの長さの関数として決定される請求項１７に記載の方法。
【請求項１９】
前記参照時間は
前記第１時間リソースの長さと前記第２時間リソースの長さとの最小公倍数、
前記第１時間リソースの前記長さおよび前記第２時間リソースの前記長さのうちの最も大きいもの、
前記第１時間リソースの前記長さまたは前記第２時間リソースの前記長さの部分、
前記第１時間リソースの前記長さまたは前記第２時間リソースの前記長さの半分、
前記第１時間リソースの前記長さまたは前記第２時間リソースの前記長さの最も大きいものの一部、
前記第１時間リソースの前記長さまたは前記第２時間リソースの前記長さの最も大きいものの半分、または
前記第１時間リソースおよび前記第２時間リソースのうちの少なくともひとつ用に設定された値を含む請求項１７に記載の方法。
【請求項２０】
前記第１時間リソースに基づいて第１参照時間を決定することと、
前記第２時間リソースに基づいて第２参照時間を決定することと、
前記第１参照時間と前記第２参照時間とに基づいて前記最大出力電力を決定することと、をさらに含む請求項１５または１６に記載の方法。
【請求項２１】
最大出力電力を決定するネットワークノード（１１５）であって、該ネットワークノードは、
インストラクションを保持するメモリ（５３０）と、
前記インストラクションを実行することによって前記ネットワークノードに、
無線デバイス（１１０）を、第１セルにおいて第１信号を第１キャリアで送信するための第１時間リソースで設定することと、
前記無線デバイスを、第２セルにおいて第２信号を第２キャリアで送信するための第２時間リソースで設定することと、
前記第１時間リソースと前記第２時間リソースとに基づいて最大出力電力を決定することと、
前記最大出力電力に基づいて、前記無線デバイスから、前記第１セル上での前記第１信号および前記第２セル上での前記第２信号のうちの少なくともひとつを受信することと、を行わせるよう構成されたプロセッサ（５２０）と、を備えるネットワークノード（１１５）。
【請求項２２】
前記プロセッサは、前記インストラクションを実行することによって、前記最大送信電力に基づいて、
少なくともひとつの無線測定を行うことと、
前記第１セルにおける前記第１信号および前記第２セルにおける前記第２信号のうちの少なくともひとつのアップリンクスケジューリングを適合させることと、
前記第１セルの前記アップリンクまたは前記ダウンリンクにおける前記無線デバイスの前記第１時間リソースを適合させることと、
前記第２セルの前記アップリンクまたは前記ダウンリンクにおける前記無線デバイスの前記第２時間リソースを適合させることと、
前記第１セルおよび前記第２セルのうちの少なくともひとつにおいて、前記無線デバイスの電力制御動作を行うことと、
前記最大出力電力の決定された値についての情報を、他のネットワークノードに送信することと、
前記第１時間リソースおよび前記第２時間リソースのうちの少なくともひとつに基づいて決定された参照時間についての情報を、他のネットワークノードに送信することと、のうちの少なくともひとつを行うよう構成される請求項２１に記載のネットワークノード。
【請求項２３】
前記プロセッサは、前記インストラクションを実行することによって、
前記第１時間リソースおよび前記第２時間リソースのうちの少なくともひとつに基づいて参照時間を決定することと、
前記参照時間に基づいて前記最大出力電力を決定することと、を行うよう構成される請求項２１または２２に記載のネットワークノード。
【請求項２４】
前記参照時間は前記第１時間リソースおよび前記第２時間リソースのうちの少なくともひとつの長さの関数として決定される請求項２３に記載のネットワークノード。
【請求項２５】
前記参照時間は、
前記第１時間リソースの長さと前記第２時間リソースの長さとの最小公倍数、
前記第１時間リソースの前記長さおよび前記第２時間リソースの前記長さのうちの最も大きいもの、
前記第１時間リソースの前記長さまたは前記第２時間リソースの前記長さの部分、
前記第１時間リソースの前記長さまたは前記第２時間リソースの前記長さの半分、
前記第１時間リソースの前記長さまたは前記第２時間リソースの前記長さの最も大きいものの一部、
前記第１時間リソースの前記長さまたは前記第２時間リソースの前記長さの最も大きいものの半分、または
前記第１時間リソースおよび前記第２時間リソースのうちの少なくともひとつ用に設定された値を含む請求項２３に記載のネットワークノード。
【請求項２６】
前記最大出力電力を決定することは、最大出力電力パラメータＰＣＭＡＸ＿Ｌを決定することを含み、前記参照時間は推定期間であり、前記最大出力電力パラメータは参照期間（Ｔ＿ｅｖａｌ）ごとに推定され、前記参照時間は前記第１時間リソースおよび／または前記第２時間リソースの長さに基づく請求項２３に記載のネットワークノード。
【国際調査報告】
2019536350.tif 000057
2019536350.tif 000058